(57)【要約】  携帯型手持ち式の電界紡糸または電界スプレー装置及びシステム、方法、並びにそれらの構成要素であって、手持ち式装置の耐久部及び手持ち式装置の使い捨て部を備える。手持ち式装置の使い捨て部は、電界紡糸または電界スプレー状態で噴射する溶液を収容することが可能であり、全体または一部を入れ替えて溶液の追加または入れ替えを可能にする。ベースステーションが設けられ、高電圧及び通信信号を手持ち式装置へ出力して、手持ち式装置が電界紡糸又は電界スプレー操作をするのを可能にする。【選択図】図１
2021503567.tif 000002
【特許請求の範囲】
【請求項１】
携帯型手持ち式の装置であって、前記装置用に配合した所定溶液を堆積面に向けて電界紡糸又は電界スプレーする装置において、
前記装置は、
第１端と、前記第１端と反対の第２端と、を有する耐久部と、
前記耐久部の前記第１端に接続された使い捨て部と、
を備え、
前記使い捨て部は、
電極と、
ノズル先端から前記溶液を噴射するように構成された中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ噴射するハウジングと、
を備え、
前記耐久部は、
前記ハウジングから前記中空ノズルへ前記溶液を出力する駆動機構と、
ユーザからの押圧操作である手動入力を受けて、径方向内方へ移動して、前記駆動機構と前記電極への高電圧の印加とを制御して前記溶液に印加する電界を生成し、前記溶液を前記中空ノズルから前記堆積面へ向けて電界紡糸又は電界スプレーするスイッチを有するユーザコントロールインタフェースと、
を備え、
電気回路は、前記高電圧を前記中空電極へ供給し、
前記スイッチは、前記使い捨て部の前記ハウジングが前記耐久部の前記第２端に接近するよりも、前記耐久部の前記第２端により接近している、
携帯型手持ち式の装置。
【請求項２】
前記電極の遠位末端は、前記流路の前記第１部を規定する前記中空ノズルの内部にあり、前記ノズル先端から後退または引っ込められている請求項１に記載の装置。
【請求項３】
前記溶液は、コーティング及び繊維形成能を有する水不溶性ポリマのポリマ溶液である請求項１に記載の装置。
【請求項４】
前記所定最大量の前記溶液を収容する前記ハウジングは、前記所定最大量の前記溶液を収容する溶液収容器を有し、前記溶液収容器は、前記ハウジングから取り外されて別の溶液収容器と交換される請求項１に記載の装置。
【請求項５】
前記耐久部は、前記駆動機構を収容し、前記ユーザコントロールインタフェースを提供するハウジングを備え、前記耐久部は、前記ユーザが片手で保持し、前記ユーザが前記耐久部を片手で保持した場合、前記ユーザコントロールインタフェースは、前記ユーザの指または親指で操作され、前記スイッチが押圧解放される請求項１に記載の装置。
【請求項６】
前記装置は、前記装置から離れたベースステーションから伝送媒体を経由して前記高電圧を受電する請求項１に記載の装置。
【請求項７】
前記使い捨て部の前記ハウジングは、前記耐久部のハウジングに対して取り外し可能および再取り付け可能である請求項１に記載の装置。
【請求項８】
前記中空ノズルは、取り外し自在に前記ハウジングに接続されて、前記中空ノズルは、前記ハウジングから取り外し可能となる請求項１に記載の装置。
【請求項９】
前記電極の一部を取り囲む絶縁シースをさらに備え、前記一部は、前記電極の遠位末端を有し、前記電極は、中空である請求項１に記載の装置。
【請求項１０】
前記電気回路は、前記装置の１以上の動作パラメータのプリセットを実装し、前記１以上の動作パラメータは、前記高電圧、前記高電圧に対応する動作電流、前記駆動機構の駆動速度、及び前記駆動機構の駆動方向を含む請求項１に記載の装置。
【請求項１１】
前記溶液は、成分（ａ）、成分（ｂ）及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマである請求項１に記載の装置。
【請求項１２】
前記装置は、前記電界紡糸溶液または電界スプレー溶液を、前記高電圧として約６ｋＶ乃至約３０ｋＶの電圧を用いて、約０．０５乃至約０．５ｍｌ／ｍｉｎの流速で中空ノズルから噴射し、
前記溶液のアルコール含有量は、７０％を超える請求項１に記載の装置。
【請求項１３】
携帯型手持ち式の装置であって、前記装置用に配合した所定溶液を堆積面に向けて電界紡糸又は電界スプレーする装置において、
前記装置は、
耐久部と、
前記耐久部に接続された使い捨て部と、
前記装置の軸線方向へ沿って配置された導電ロッドと、
を備え、
前記使い捨て部は、
電極と、
ノズル先端から前記溶液を噴射する中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ出力するハウジングと、
を備え、
前記耐久部は、
前記ハウジングから前記中空ノズルへ前記溶液を出力する駆動機構と、
ユーザからの手動入力を受けて前記駆動機構と前記中空電極への高電圧の印加とを制御して、前記溶液に印加する電界を生成し、前記溶液を前記中空ノズルから前記堆積面へ向けて電界紡糸又は電界スプレーするユーザコントロールインタフェースと、
を備え、
電気回路が前記中空電極へ前記高電圧を供給し、
前記導電ロッドが、前記溶液を収容する前記使い捨て部の前記ハウジングの径方向外側に配置される、
前記携帯型手持ち式の装置。
【請求項１４】
前記溶液は、成分（ａ）、成分（ｂ）及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマであり、
前記アルコールは、鎖式脂肪族一価アルコールのなかの１以上、１以上の環式脂肪族一価アルコール、及び／または、１以上の芳香族一価アルコールを含み、
前記ケトンは、アセトン、メチルエチルケトン、及びメチルイソブチルケトンのなかの１以上を含む、請求項１３に記載の装置。
【請求項１５】
前記導電ロッドの第１端は、電源から前記高電圧を受電するように配置され、前記第１端と反対の前記導電ロッドの第２端は、弾性部材を用いて前記電極へ電気的に接続される請求項１３に記載の装置。
【請求項１６】
携帯型手持ち式の装置であって、前記装置用に配合した所定溶液を堆積面に向けて電界紡糸又は電界スプレーする装置において、
前記装置は、
第１端と、前記第１端とは反対の第２端と、を有する耐久部と、
第３端と、前記第３端とは反対の第４端と、を有する使い捨て部であって、前記耐久部へ取り外し自在に接続される使い捨て部と、
を備え、
前記使い捨て部は、
電極と、
ノズル先端から前記溶液を噴射する中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ出力するハウジングと、
を備え、
前記耐久部は、
前記ハウジングから前記中空ノズルへ前記溶液を出力する駆動機構と、
ユーザからの手動入力を受けて前記駆動機構と前記電極への高電圧の印加とを制御して、前記溶液に印加する電界を生成し、前記溶液を前記中空ノズルから前記堆積面へ向けて電界紡糸又は電界スプレーするユーザコントロールインタフェースと、
を備え、
電気回路が前記中空電極へ前記高電圧を供給し、
前記使い捨て部の前記第３端が、インタフェースにおいて、前記耐久部の前記第１端へ取り外し可能に接続され、前記使い捨て部の外側表面と前記耐久部の外側表面とは、前記インタフェースにて一致し、前記使い捨て部と前記耐久部とは、前記装置の径方向中心で長手方向の中心軸線に沿って整列され、
前記使い捨て部の一部は、前記耐久部の前記第１端から、前記耐久部内の前記使い捨て部の一部より長く伸長する、
前記携帯型手持ち式の装置。
【請求項１７】
前記使い捨て部と前記耐久部とは、前記使い捨て部が、前記耐久部へ取り外し可能に接続される場合、針形状となる請求項１６に記載の装置。
【請求項１８】
前記ユーザからの前記手動入力を受ける前記ユーザコントロールインタフェースの領域における前記耐久部の軸線方向の幅と直交方向の幅との比が、約３．５：１乃至約１２：１である請求項１６に記載の装置。
【請求項１９】
前記装置の軸線方向に沿って配置された導電ロッドをさらに備え、前記導電ロッドが、前記溶液を収容する前記使い捨て部の前記ハウジングの径方向外側に配置される請求項１６に記載の装置。
【請求項２０】
前記ユーザコントロールインタフェースは、前記ユーザからの押圧操作である前記手動入力を受けて、径方向内方へ移動し、前記駆動機構と前記電極への高電圧の印加とを制御して、前記溶液に印加する電界を生成し、前記溶液を前記中空ノズルから前記堆積面へ向けて電界紡糸又は電界スプレーするスイッチを備え、
前記スイッチが、前記使い捨て部の前記ハウジングが前記耐久部の前記第２端に接近するよりも前記耐久部の前記第２端へより接近している請求項１６に記載の装置。
【請求項２１】
携帯型手持ち式の装置を提供するステップと、提供された前記装置を使用するステップと、を含む方法であって、
前記携帯型手持ち式の装置であって、前記装置用に配合した所定溶液を堆積面に向けて電界紡糸又は電界スプレーする装置は、
第１端と、前記第１端と反対の第２端と、を有する耐久部と、
前記耐久部の前記第１端に接続された使い捨て部と、
を備え、
前記使い捨て部は、
電極と、
ノズル先端から前記溶液を噴射するように構成された中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ噴射するハウジングと、
を備え、
前記耐久部は、
前記ハウジングから前記中空ノズルへ前記溶液を出力する駆動機構と、
ユーザからの押圧操作である手動入力を受けて、径方向内方へ移動して、前記駆動機構と前記電極への高電圧の印加とを制御して前記溶液に印加する電界を生成し、前記溶液を前記中空ノズルから前記堆積面へ向けて電界紡糸又は電界スプレーするスイッチを有するユーザコントロールインタフェースと、
を備え、
電気回路は、前記高電圧を前記電極へ供給し、
前記スイッチは、前記使い捨て部の前記ハウジングが前記耐久部の前記第２端に接近するよりも、前記耐久部の前記第２端により接近している、
前記携帯型手持ち式の装置を提供するステップと、
提供された前記装置を使用するステップと、
を含む前記方法。
【請求項２２】
前記堆積面は、皮膚である請求項２１に記載の方法。
【請求項２３】
前記装置を使用するステップにおいて、前記皮膚にすでに塗布された化粧品上に前記溶液を電界スプレーまたは電界紡糸するステップを含む請求項２２に記載の方法。
【請求項２４】
前記装置を使用するステップにおいて、
前記皮膚に直接前記溶液を電界紡糸または電界スプレーするステップと、
前記溶液上に直接的または間接的に化粧品を塗布するステップと、
を含む請求項２２に記載の方法。
【請求項２５】
前記装置を使用するステップの前に、前記溶液を交換するステップを含む請求項２１に記載の方法。
【請求項２６】
前記装置を使用するステップの後に、前記溶液を交換するステップさらに含む請求項２１に記載の方法。
【請求項２７】
携帯型手持ち式の装置を提供するステップと、提供された前記装置を使用するステップと、を含む方法であって、
前記携帯型手持ち式の装置であって、前記装置用に配合した所定溶液を堆積面に向けて電界紡糸又は電界スプレーする装置は、
耐久部と、
前記耐久部に接続された使い捨て部と、
前記装置の軸線方向へ沿って配置された導電ロッドと、
を備え、
前記使い捨て部は、
電極と、
ノズル先端から前記溶液を噴射する中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ出力するハウジングと、
を備え、
前記耐久部は、
前記ハウジングから前記中空ノズルへ前記溶液を出力する駆動機構と、
ユーザからの手動入力を受けて前記駆動機構と前記電極への高電圧の印加とを制御して、前記溶液に印加する電界を生成し、前記溶液を前記中空ノズルから前記堆積面へ向けて電界紡糸又は電界スプレーするユーザコントロールインタフェースと、
を備え、
電気回路が前記電極へ前記高電圧を供給し、
前記導電ロッドが、前記溶液を収容する前記使い捨て部の前記ハウジングの径方向外側に配置される、
前記携帯型手持ち式の装置を提供するステップと、
提供された前記装置を使用するステップと、
を含む前記方法。
【請求項２８】
携帯型手持ち式の装置を提供するステップと、提供された前記装置を使用するステップと、を含む方法であって、
前記携帯型手持ち式の装置であって、前記装置用に配合した所定溶液を堆積面に向けて電界紡糸又は電界スプレーする装置は、
第１端と、前記第１端とは反対の第２端と、を有する耐久部と、
第３端と、前記第３端とは反対の第４端と、を有する使い捨て部であって、前記耐久部へ取り外し自在に接続される使い捨て部と、
を備え、
前記使い捨て部は、
電極と、
ノズル先端から前記溶液を噴射する中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ出力するハウジングと、
を備え、
前記耐久部は、
前記ハウジングから前記中空ノズルへ前記溶液を出力する駆動機構と、
ユーザからの手動入力を受けて前記駆動機構と前記電極への高電圧の印加とを制御して、前記溶液に印加する電界を生成し、前記溶液を前記中空ノズルから前記堆積面へ向けて電界紡糸又は電界スプレーするユーザコントロールインタフェースと、
を備え、
電気回路が前記電極へ前記高電圧を供給し、
前記使い捨て部の前記第３端が、インタフェースにおいて、前記耐久部の前記第１端へ取り外し可能に接続され、前記使い捨て部の外側表面と前記耐久部の外側表面とは、前記インタフェースにて一致し、前記使い捨て部と前記耐久部とは、前記装置の径方向中心で長手方向の中心軸線に沿って整列され、
前記使い捨て部の一部は、前記耐久部の前記第１端から、前記耐久部内の前記使い捨て部の一部より長く伸長する、
前記携帯型手持ち式の装置を提供するステップと、
提供された前記装置を使用するステップと、
を含む前記方法。
【発明の詳細な説明】
【技術分野】
【０００１】
本発明の実施形態は、概ね、電界紡糸装置、電界紡糸システム及び電界紡糸方法に関する。より詳細には、本発明の実施形態は、携帯型手持ち式の電界紡糸装置、電界紡糸システム、電界紡糸方法、及びそれらの構成要素に関する。
【０００２】
本発明の１つ以上の実施形態によれば、携帯型手持ち式の電界紡糸装置または電界スプレー装置が提供される。手持ち式装置は、耐久部と使い捨て部とを備える。手持ち式装置の使い捨て部は、電界紡糸方式または電界スプレー方式で出力される溶液を収容し、全体または一部を交換して、追加の溶液又は代替の溶液を提供する。ベースステーションを設けてもよく、ベースステーションは、高電圧及び通信信号を手持ち式装置へ出力して、手持ち式装置により電界紡糸操作または電界スプレー操作を可能にする。
【０００３】
また、１以上の実施形態では、携帯型手持ち式の装置であって、装置用に配合した所定溶液を堆積面に向けて電界紡糸または電界スプレーする装置が提供される。装置は、耐久部と、耐久部に接続された使い捨て部とを備える。使い捨て部は、ノズル先端から溶液を噴射する中空ノズルであって、装置の外部へ溶液を流す流路の第１部を規定する中空電極を有し、ノズル先端が流路の第２部を規定する中空ノズルと、ハウジングであって、所定最大量の溶液を収容し、溶液を中空電極へ出力するハウジングとを備える。耐久部は、ハウジングから中空電極へ溶液を出力する駆動機構と、ユーザからの手動入力を受信して駆動機構と中空電極への高電圧の印加とを制御して、溶液に印加する電界を生成して、溶液を中空ノズルから堆積面へ向けて電界紡糸または電界スプレーするユーザコントロールインタフェースと、を備える。電気回路は、中空電極へ高電圧を供給する。
【０００４】
実施形態には、また、装置用に配合した所定溶液を堆積面に向けて電界紡糸する携帯型手持ち式装置が含まれる。装置は、耐久部と、耐久部に接続された使い捨て部と、を備える。使い捨て部は、溶液をノズル先端から噴射する中空ノズルであって、装置の外部へ溶液を流す流路の第１部を規定する中空電極を有し、ノズル先端は、流路の第２部を規定し、中空電極は、第１伝導経路を介して供給された受電高電圧を出力する中空ノズルと、別の電極であって、第１伝導経路とは異なる第２伝導経路を介して供給された受電高電圧を出力する別の電極と、ハウジングであって、所定最大量の溶液を収容し、溶液を中空電極へ提供するハウジングと、を備える。耐久部は、ハウジングから中空電極へ溶液を出力する駆動機構と、ユーザからの手動入力を受信して駆動機構及び中空電極への高電圧の印加及び別の電極への高電圧の印加を制御して溶液に印加する電界を生成して、溶液を中空ノズルから堆積面へ向けて電界紡糸するユーザコントロールインタフェースとを備える。電気回路は、高電圧を中空電極及び別の電極へ供給する。
【０００５】
１以上の実施形態によれば、電界紡糸または電界スプレーシステムは、高電圧を供給する手段と、高電圧に基づいて、電界を生成する手段と、生成した電界を溶液に印加する手段と、溶液を噴射して電界の印加を受ける手段と、溶液を電界紡糸または電界スプレー溶液として噴射する手段と、電界を生成する手段及び溶液を電界紡糸または電界スプレー溶液として噴射する手段を制御する手段と、を備える。
【０００６】
実施形態には、また、開示した本発明の実施形態に係る装置及びシステムの提供、製造、及び／または使用の方法が含まれる。
【図面の簡単な説明】
【０００７】
添付図面は、本明細書に組み込まれ且つその一部を構成するものであり、本発明の１以上の実施形態の例示であり、説明と共に、本発明の様々な実施形態を説明する。また、添付図面は、必ずしも縮尺通りに描かれているものではなく、添付図面中のいかなる数値又は寸法も、説明だけの目的で付されており、かかる数値や寸法は、実際の数値や寸法または好適な数値や寸法を表していても、表していなくてもよい。場合によっては、本発明の特徴のいくつかまたはすべては、基本的な特徴の説明及び理解を助けるために図示されていない場合がある。
【０００８】
【図１】本発明の１以上の実施形態に係るシステムの図である。
【図２Ａ】本発明の１以上の実施形態に係る手持ち式装置の一例の断面図である。
【図２Ｂ】図２Ａの手持ち式装置の部分拡大図である。
【図３】図２Ａの手持ち式装置の一部の分解断面図である。
【図４】本発明の１以上の実施形態に係る図２Ａの手持ち式装置の使い捨て部の断面図である。
【図５】本発明の１以上の実施形態に係る図４の使い捨て部の一部の図である。
【図６】図４の使い捨て部の側面図である。
【図７】本発明の１以上の実施形態に係る図２Ａの手持ち式装置のノズル部の側面図及び断面である。
【図８】本発明の１以上の実施形態に係る方法の基本フローチャートである。
【発明を実施するための形態】
【０００９】
添付図面と関連して以下に記載される説明は、本発明の様々な実施形態の説明を意図したものであり、必ずしも本発明の唯一の実施形態を意図したものではない。特定の実施形態では、本発明を理解することを目的として具体的詳細が記載される。しかしながら、これらの具体的詳細がなくても実施形態を実施できることは当業者には明らかである。いくつかの実施形態では、構造及び構成要素をブロック図の形式で図示して、本発明の概念が不明確となるのを回避している。可能な限り、同一または類似構成については、添付図面を通して同じ符号を付している。
【００１０】
本明細書において、「一実施形態」または「実施形態」が言及される場合、実施形態に関連して記載される特定の特徴、構造、特徴、動作または機能は、少なくとも１つの実施形態に含まれるものとする。したがって、本明細書において、「一実施形態において」または「実施形態において」と記載される場合、それらが必ずしも同一の実施形態を指すものではない。さらに、１以上の実施形態において、特定の特徴、構造、特徴、動作または機能は、任意の適切な方法で組み合わせてもよいし、開示した本発明の実施形態は、記載した実施形態の改良及び変形を含み、含むことが意図される。
【００１１】
本明細書、添付の特許請求の範囲及び要約書において使用されるように、単数形の「a」、「an」及び「the」は、明確に指示されない限り、複数を含むことに留意する。すなわち、本明細書において使用される「a」及び「an」などの語は、特に明記されない限り、「１以上」の意味を有する。さらに、本明細書において使用される、「左」、「右」、「頂」、「底」、「前」、「後」、「横」、「高さ」、「長さ」、「幅」、「上部」、「下部」、「内部」、「外部」、「内側」、「外側」などの用語は、単に参照点を示すものであって、必ずしも開示した本発明の実施形態を特定の方向や構成に限定するものではない。さらにまた、「第１」、「第２」、「第３」などは、多数の部分、構成要素、参照点、動作及び／または機能のうちの１つを特定しているに過ぎず、同様に、必ずしも開示した本発明の実施形態を任意の特定の方向や構成に限定するものではない。
【００１２】
本発明の実施形態は、概ね、電界紡糸装置、電界紡糸システム及び電界紡糸方法に関するものである。より詳細には、本発明の実施形態は、携帯型手持ち式の電界紡糸装置、電界紡糸システム、電界紡糸方法、及びそれらの構成要素に関するものである。本発明の実施形態は、また、携帯型手持ち式の電界紡糸装置、電界紡糸システム、電界紡糸方法及びそれらの構成要素を含むものであっても、若しくは、それらに関するものであってもよい。本発明の実施形態は、携帯型手持ち式の電界紡糸または電界スプレー装置及びシステム、方法、並びにそれらの構成要素を含み、これらのる実施形態は、医療、サロンまたは家庭における利用を前提とする。
【００１３】
一般的に、電界紡糸法は、エレクトロスピニングとも呼ばれ、例えば、ポリマ溶液等の溶液中または周囲に電界（ＥＦ）を発生させて、溶液を引き出し、比較的細い繊維を作り出すものである。テーラーコーン（Ｔａｙｌｏｒ  ｃоｎｅ）を生成するのに十分な電界を生成するには、十分な電圧を供給しなければならない。そのような複数の繊維は、例えば、皮膚などの堆積面にメッシュやウェブを形成する。
【００１４】
細い繊維の直径は、例えば、ナノメーターのオーダーである。すなわち、電界スプレー法により繊維の堆積物を形成する場合、対応する円の直径で表される繊維の太さは、１０ｎｍ以上、より好ましくは、５０ｎｍ以上である。また、繊維の太さは、３０００ｎｍ以下、より好ましくは、１０００ｎｍ以下である。繊維の太さは、走査型電子顕微鏡（ＳＥＭ）を使用して、１０，０００倍に拡大した繊維を観察して、測定できる。例えば、細繊維の二次元画像から欠陥（繊維の塊、繊維の交差部分、液滴）を取り除き、任意に１０本の繊維を選択し、各繊維の長手方向に直交する線を引き、繊維の直径を直接読み取ることにより測定できる。
【００１５】
好ましくは、１以上の実施形態において、繊維は連続繊維である。繊維は、製造時は無限長の繊維であるが、少なくとも繊維の太さの１００倍以上の長さを有することが好ましい。本明細書においては、繊維の太さの１００倍以上の長さを有する繊維を「連続繊維」と定義する。電界スプレー法によって形成されるコーティングは、連続繊維の堆積物を含む多孔性不連続コーティングであることが好ましい。
【００１６】
或いは、本発明の１以上の実施形態は、電界スプレーを伴うことが可能であり、電界スプレーでは、一般的に、ポリマ溶液等の溶液に対して電界（ＥＦ）を発生させて、溶液の液滴を噴射する。
【００１７】
噴射溶液の流速（Ｆ）は、約０．１７ｍｌ／ｍiｎであり、約０．０７ｍｌ／ｍｉｎが好ましく、約０．０１乃至約０．５０ｍｌ／ｍiｎがより好ましく、約０．０３乃至約０．４０ｍｌ／ｍｉｎがより一層好ましく、約０．０５乃至約０．３ｍｌ／ｍｉｎが最も好ましい。さらに、流速は、電界を発生させるために供給した電流及び電圧、並びに、噴射される所望の繊維または液滴特性に基づいて、生じるか、または設定される。流速は、また、分子量、種類、導電率といった溶液特性、周囲温度及び／または周囲湿度等の環境条件、ノズル構成等の装置構成によって決定してもよい。
【００１８】
電界（Ｖ）発生用に供給される電圧は、約８ｋＶ乃至約３０ｋＶが好ましく、約９ｋＶ乃至約２５ｋＶがより好ましく、約１０ｋＶ乃至約２０ｋＶがより一層好ましい。
【００１９】
電圧（Ｖ）と流速（Ｆ）との関係式は、（Ｆ）＝０．０１５＊（Ｖ）＋０．１が好ましく、（Ｆ）＝０．０１２＊（Ｖ）＋０．１２がより好ましく、（Ｆ）＝０．０８＊（Ｖ）＋０．１５がより一層好ましい。本発明の１以上の実施形態に係る流速の非限定例を下記に記す。
【００２０】
流速（Ｆ）０．０１〜０．５ｍＬ／ｍｉｎ←（Ｖ）電圧８〜３０ｋＶ  Ｆ＝０．０１５＊Ｖ＋０．１
【００２１】
流速（Ｆ）０．０３〜０．４ｍＬ／ｍｉｎ←電圧９〜２５ｋＶ  Ｆ＝０．０１２＊Ｖ＋０．１２
【００２２】
流速（Ｆ）０．０５〜０．３ｍＬ／ｍｉｎ←電圧１０〜２０ｋＶ  Ｆ＝０．０８＊Ｖ＋０．１５
【００２３】
溶液の粘度は、約１ｍＰａ・ｓ乃至約１，２００ｍＰａ・ｓが好ましく、約５０ｍＰａ・ｓ乃至約５００ｍＰａ・ｓがより好ましく、約１００ｍＰａ・ｓ乃至約３００ｍＰａ・が最も好ましい。粘度は、１以上の粘度計を用いる方法や、１種類以上の粘度計、例えば、スピンドル型（Ｂ型）粘度計またはコーンプレート型（Ｅ型）粘度計を用いて計測できる。例えば、スピンドル型粘度測定は、次の特性／条件で、つまり、スピンドル番号がＭ２（２１）、回転速度が６０ｒｐｍ、及び、温度が２５℃で、Ｂ型の粘度計（例えば、東機産業株式会社販売のＴＶＢ−１０）を用いて行われる。追加として、または代替として、コーンプレート型粘度測定は、次の特性／条件で、つまり、コーンプレートローター番号が４３、粘度レベルに応じた粘度計の仕様に従って選択された回転数が、１２８０ｍＰａ・ｓ超で１ｒｐｍ、１２８ｍＰａ・ｓ超１２８０ｍＰａ・ｓ未満で１０ｒｐｍ、及び１２８ｍＰａ・ｓ未満で１００ｒｐｍ、そして、気温が２５℃で、Ｅ型の粘度計（例えば、東京計器株式会社製のＶＩＳＣＯＮ  ＥＭＤ）を用いて行われる。
【００２４】
本発明の１以上の実施形態では、上述したとおり、溶液はポリマ溶液である。例えば、ポリマ溶液は、コーティング形成能を有する水不溶性ポリマが好ましい。例えば、コーティング形成後に不溶化できる完全鹸化ポリビニルアルコール、架橋剤と併用することでコーティング形成後に架橋できる部分鹸化ポリビニルアルコール、ポリ（Ｎ−プロパノイルエチレンイミン）グラフト−ジメチルシロキサン／γ−アミノプロピルメチルシロキサン共重合体等のオキサゾリン変性シリコーン、ポリビニルアセタールジエチルアミノアセテート、ゼイン（とうもろこし蛋白質の主要成分）、ポリエステル、ポリ乳酸（ＰＬＡ）、ポリアクリロニトリル樹脂若しくはポリメタクリル酸樹脂等のアクリル樹脂、ポリスチレン樹脂、ポリビニルブチラール樹脂、ポリエチレンテレフタレート樹脂、ポリブチレンテレフタレート樹脂、ポリウレタン樹脂、ポリアミド樹脂、ポリイミド樹脂、及びポリアミドイミド樹脂が好ましい。より好ましくは、ポリマ溶液は、ポリビニルブチラール樹脂であるか、または、ポリビニルブチラール樹脂を含む。本明細書において「水不溶性ポリマ」という用語は、ポリマ１ｇを坪量し、１気圧、２３℃の環境下で２４時間、１０ｇのイオン交換水に浸漬した場合に、浸漬したポリマの０．５ｇ以上が水に溶解しない性質を有するポリマを意味する。必要に応じて、ポリマ溶液は、好ましくは、浮遊物質（例えば、粉末）を欠いていてもよい。すなわち、ポリマ溶液は、浮遊物質（例えば、粉末）を含まないか、または実質的に含まない。
【００２５】
追加として、または代替として、本発明の１以上の実施形態において、溶液は、以下のように、成分（ａ）、成分（ｂ）及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマである。
【００２６】
成分（ａ）の揮発性物質として好ましいアルコールの例としては、鎖式脂肪族一価アルコールや、環式脂肪族一価アルコールや、芳香族一価アルコールが含まれる。それらの具体例としては、エタノール、イソプロピルアルコール、ブチルアルコール、フェニルエチルアルコール、プロパノール、及びペンタノールが含まれる。これらのアルコール類から選択される１以上のアルコールを使用できる。成分（ａ）の揮発性物質となるケトンの例としては、アセトン、メチルエチルケトン、及びメチルイソブチルケトンを含む。これらのケトンは、単独でまたは２種以上を組み合わせて使用してもよい。成分（ａ）の揮発性物質は、エタノール、イソプロピルアルコール、及びブチルアルコールから選択される少なくとも１種とすることが好ましく、エタノール及びブチルアルコールから選択される少なくとも１種とすることがより好ましく、そしてエタノールとするのがより一層好ましい。必要に応じて、溶液は、７０％を超えるアルコールを含んでもよい。
【００２７】
一般的に、成分（ａ）は、揮発性であり、成分（ｃ）を分散または溶解させる。本明細書で使用される場合、「分散または溶解」という用語は、物質が、２０℃で分散状態にあり、目視観察で均一であり、目視観察で透明または半透明であるのが好ましい。
【００２８】
成分（ｃ）は、疎水性（水不溶性）であることが好ましい。例えば、ポリマがコーティング形成能を有する場合、成分（ａ）として使用する揮発性物質の特性に応じたポリマを適宜使用できる。具体的には、コーティング形成能を有するポリマは、水溶性ポリマと、水不溶性ポリマとに大別できる。本明細書において「水溶性ポリマ」という用語は、ポリマ１ｇを坪量し、１気圧、２３℃の環境下で、２４時間、１０ｇのイオン交換水に浸漬した場合に、浸漬したポリマの０．５ｇ以上が水に溶解する性質を有するポリマを意味する。一方で、上述したように、本明細書において「水不溶性ポリマ」という用語は、ポリマ１ｇを坪量し、１気圧、２３℃の環境下で２４時間、１０ｇのイオン交換水に浸漬した場合に、浸漬したポリマの０．５ｇ以上が水に溶解しない性質を有するポリマを意味する。
【００２９】
コーティング形成能を有する水溶性ポリマの例としては、プルラン、ヒアルロン酸、コンドロイチン硫酸、ポリ−γ−グルタミン酸、変性コーンスターチ、β−グルカン、グルコオリゴ糖、ヘパリン及びケラト硫酸等のムコ多糖、セルロース、ペクチン、キシラン、リグニン、グルコマンナン、ガラクツロン酸、サイリウムシードガム、タマリンドシードガム、アラビアゴム、トラガントゴム、水溶性大豆多糖類、アルギン酸、カラギーナン、ラミナラン、寒天（アガロース）、フコイダイン、メチルセルロース、ヒドロキシプロピルセルロース、ヒドロキシプロピルメチルセルロースなどの天然高分子、並びに、部分鹸化ポリビニルアルコール（架橋剤と併用しない場合）、低鹸化ポリビニルアルコール、ポリビニルピロリドン（ＰＶＰ）、ポリエチレンオキシド、及びポリアクリル酸ナトリウムなどの合成高分子が含まれる。これらの水溶性ポリマは、１種単独で、または、２種以上を組み合わせて用いることができる。コーティング製造の容易さの観点から、プルラン、並びに部分鹸化ポリビニルアルコール、低鹸化ポリビニルアルコール、ポリビニルピロリドン及びポリエチレンオキシドなどの合成高分子を用いることが好ましい。水溶性ポリマとしてポリエチレンオキシドを用いる場合、その平均分子量は、５０，０００以上３，０００，０００以下であることが好ましく、１００，０００以上２，５００，０００以下であることがより好ましい。
【００３０】
一方、コーティング形成能を有する水不溶性ポリマの例としては、コーティング形成後に不溶化できる完全鹸化ポリビニルアルコール、架橋剤と併用することでコーティング形成後に架橋できる部分鹸化ポリビニルアルコール、ポリ（Ｎ−プロパノイルエチレンイミン）グラフト−ジメチルシロキサン／γ−アミノプロピルメチルシロキサン共重合体等のオキサゾリン変性シリコーン、ポリビニルアセタールジエチルアミノアセテート、ゼイン（とうもろこし蛋白質の主要成分）、ポリエステル、ポリ乳酸（ＰＬＡ）、ポリアクリロニトリル樹脂またはポリメタクリル酸樹脂等のアクリル樹脂、ポリスチレン樹脂、ポリビニルブチラール樹脂、ポリエチレンテレフタレート樹脂、ポリブチレンテレフタレート樹脂、ポリウレタン樹脂、ポリアミド樹脂、ポリイミド樹脂、及びポリアミドイミド樹脂を含む。これらの水不溶性ポリマは単独でまたは２種以上を組み合わせて使用できる。これらの水不溶性ポリマのうち、コーティング形成後に不溶化できる完全鹸化ポリビニルアルコール、架橋剤と併用することでコーティング形成後に架橋できる部分鹸化ポリビニルアルコール、ポリビニルブチラール樹脂、ポリ（Ｎ−プロパノイルエチレンイミン）グラフト−ジメチルシロキサン／γ−アミノプロピルメチルシロキサン共重合体等のオキサゾリン変性シリコーン、水溶性ポリエステル、ゼイン等を使用するのが好ましい。
【００３１】
組成物における成分（ａ）の含有量は、５０質量％以上であることが好ましく、５５質量％以上であることがより好ましく、６０質量％以上であることがより一層好ましい。また、組成物における成分（ａ）の含有量は、９８質量％以下であることが好ましく、９６質量％以下であることがより好ましく、９４質量％以下であることがより一層好ましい。組成物における成分（ａ）の含有量は、５０質量％以上９８質量％以下であることが好ましく、５５質量％以上９６質量％以下であることがより好ましく、６０質量％以上９４質量％以下であることがより一層好ましい。この比率で組成物中に成分（ａ）を配合すると、例えば、電界スプレー法を実施する時に、組成物を十分に揮発させることができる。
【００３２】
一方で、組成物における成分（ｃ）の含有量は、４乃至３４重量％であることが好ましく、６乃至３０重量％であることがより好ましく、８乃至１８重量％であることがより一層好ましい。この比率で組成物中に成分（ｃ）を配合すると、所望のコーティングが良好に形成される。
【００３３】
溶液の導電性の観点から、成分（ｂ）を含むことが好ましく、成分（ｂ）の含有率は、成分（ａ）に対して１０％以下であることが好ましく、５％以下であることがより好ましく、紡糸性の観点から、０．５％以上であることが好ましい。
【００３４】
例えば、組成物は、アルコール及びケトンから選択される揮発性溶媒、繊維形成能を備えたポリマ、並びに水を含み、好ましくは、アルコール、水不溶性ポリマ、及び水を含み、より好ましくは、エタノールと、ポリビニルブチラール、ポリウレタン及び部分鹸化したポリビニルアルコールから選択される繊維形成能を備えたポリマと、水とを含む。繊維形成能を備えた水不水溶性ポリマは、コーティング形成後に不溶化できる完全鹸化ポリビニルアルコール、架橋剤と併用することでコーティング形成後に架橋できる部分鹸化ポリビニルアルコール、ポリ（Ｎ−プロパノイルエチレンイミン）グラフト−ジメチルシロキサン／γ−アミノプロピルメチルシロキサン共重合体等のオキサゾリン変性シリコーン、ポリビニルアセタールジエチルアミノアセテート、ゼイン（とうもろこし蛋白質の主要成分）、ポリエステル、ポリ乳酸（ＰＬＡ）、ポリアクリロニトリル樹脂またはポリメタクリル酸樹脂等のアクリル樹脂、ポリスチレン樹脂、ポリビニルブチラール樹脂、ポリウレタン樹脂、ポリエチレンテレフタレート樹脂、ポリブチレンテレフタレート樹脂、ポリウレタン樹脂、ポリアミド樹脂、ポリイミド樹脂、及びポリアミドイミド樹脂等の中から１種以上を選択して形成することができる。必要に応じて、溶液は、７０パーセントを超える量のアルコール含んでもよい。
【００３５】
繊維形成能を備えた水不溶性ポリマは、架橋剤と併用することでコーティング形成後に架橋できる部分鹸化ポリビニルアルコール、ポリビニルブチラール樹脂、ポリウレタン樹脂、ポリ（Ｎ−プロパノイルエチレンイミン）グラフト−ジメチルシロキサン／γ−アミノプロピルメチルシロキサン共重合体等のオキサゾリン変性シリコーン、水溶性ポリエステル、ゼイン等のうちの１種以上を含むことが好ましい。
【００３６】
本発明の１以上の実施形態は、下地／ファンデーション、コンシーラ、保湿剤及び着色料などの化粧品の塗布も含む。勿論、本発明の１以上の実施形態は、化粧品の塗布に限定されない。例えば、本発明の１以上の実施形態は、消臭剤、芳香剤、日焼け止め、クリーム、局所薬物送達、抗菌バリア及びコーティング剤、疎水性表面処理／汚染表面処理、防汚コーティング剤、組織修復剤などの応用も含む。
【００３７】
添付を参照すると、図１は、本発明の１以上の実施形態に係るシステム１００を示す。システム１００は、ベースステーション２００と、ハンドセット３００とを備える。必要に応じて、ベースステーション２００及びハンドセット３００は、伝送媒体４００を介して互いに接続され、これにより、ベースステーション２００からハンドセット３００へと電力が供給され、ベースステーション２００とハンドセット３００との間での通信が可能となる。
【００３８】
伝送媒体４００は、複数の有線伝送線であり、例えば、これらの伝送線は、１本の伝送コードの内部で別々に絶縁された複数の伝送線であっても、別々の伝送線であってもよく、有線伝送線の１つは、ベースステーション２００からハンドセット３００へ比較的高い電圧を送電し、別の伝送線（若しくは、別の複数の伝送線）は、ハンドセット３００に比較的低い電圧、通信信号および接地が提供される。したがって、１以上の実施形態では、低電圧伝送は、ハンドセット３００（例えば、ハンドセット３００のモータ及び／またはコントローラ）への電力及び通信のための低電圧ケーブル束を介して行われ、接地ケーブルは、低電圧ケーブル束と一体化しても、これとは異なり、別個のケーブルとしてもよい。あるいは、信号の一部若しくは全ては、ベースステーション２００とハンドセット３００間で無線送信してもよい。
【００３９】
一般に、電界紡糸若しくは電界スプレーを行う場合、繊維または液滴がそれぞれ堆積される表面の電位は、接地電位か若しくは接地電位に近いものでなければならない。したがって、ユーザの皮膚等の堆積面は、電界紡糸又は電界スプレー処理中は接地されるべきである。ユーザの接地については、ユーザをベースステーション２００、ハンドセット３００またはその他の構造へ接地させればよい。例えば、図１に示すように、ユーザは、ユーザに取り付けられた接地ストラップ５０１及びベースステーション２００に接続された接地線５００を介して、ユーザに取り付けられた接地ストラップ（不図示）及びハンドセット３００に接続された接地線５０２を介して、ハンドセット３００のグリップにあるロッド又はプレート、場合によっては、ユーザに取り付けられた接地ストラップを介して、または、椅子、座席、テーブル、金属プレートまたはその他の構造物に組み込まれた接地経路等の別の接地経路を介して、接地される。また、ユーザ以外の人物（例えば、エステティシャン）が、ハンドセット３００を用いて電界紡糸溶液又は電界スプレー溶液をユーザに塗布する場合、その人物も、例えば、上述したように、ハンドセット３００を介して接地してもよいし、別個の接地経路を介して接地してもよい。
【００４０】
ベースステーション２００は、コントロールパネル２０２及び電気回路を備え、電気回路は、１台または複数台のコントローラ２０４及び／又は電源２０６を有する。必要に応じて、電気回路は、コントローラ２０４が実行可能な設定及び／またはプログラムコードを記憶するコンピュータ読み取り可能なメモリ（不図示）を備えて、電源２０６、コントロールパネル２０２及びハンドセット３００を制御する。１以上の実施形態において、ベースステーション２００は、ハンドセット３００を受け入れ、物理的に保持または収容するハンドセット収容部２０８を有してもよい。必要に応じて、ベースステーション２００は、例えば、ユーザにより設定され、見ることのできるタイマーを備える。本発明の１以上の実施形態において、ベースステーション２００は、上述したものと比較して機能が劣っていてもよい。例えば、ベースステーション２００は、ハンドセット収容部２０８だけを有し、ハンドセット３００の保持具若しくは収容部としての役割のみを果たすものであってもよい。
【００４１】
コントロールパネル２０２は、例えば、コントロールインプットを受信して、コントローラ２０４を介してハンドセット３００及びベースステーション２００を制御する。例えば、コントロールパネル２０２は、コントロールインプットを受信して、ハンドセット３００へ供給される高電圧を制御し、ハンドセット３００のモータ（例えば、ステッピングモータ）の回転方向を制御し及び／またはハンドセット３００の流速（例えば、ハンドセット３００のモータ速度）を制御する。また、コントロールパネル２０２は、電源オン／オフコントロールインプットを受信して、ベースステーション２００のオン／オフ状態を制御し、そして、必要に応じて、電圧及び通信信号の一部または全てがハンドセット３００へ供給されるか否かを制御する。ユーザ入力インタフェースは、ノブ、スイッチ、ボタン、タッチパネルまたはスクリーン、あるいは、これらのいくつかまたは全ての組み合わせであってもよい。さらに、ユーザ入力インタフェースは、コントロールパネル２０２を介して、ユーザが制御できる様々な動作特性に関する比較的単純な所定設定を識別する。
【００４２】
必要に応じて、コントロールパネル２０２は、液晶ディスプレイ（ＬＣＤ）または発光ダイオード（ＬＥＤ)ディスプレイなどのディスプレイ（不図示）を備え、このディスプレイは、上述したタッチスクリーン若しくはタッチパネルであってもよい。ディスプレイには、ハンドセット３００の動作特性に対応する情報、例えば、流速、ハンドセット３００が受信した高電圧値または電界紡糸または電界スプレーを実行するために溶液に印加された高電圧値、ハンドセット３００の状態、ハンドセット３００のモータの回転方向、及び／または、ユーザが適切に接地されているか否か、についての情報が表示される。追加として、または代替として、ディスプレイには、ベースステーション２００の動作特性に対応する情報、例えば、ハンドセット３００に供給された高電圧値、オン／オフ状態、ハンドセット３００がハンドセット収容部２０８へドッキングされたことがベースステーション２００により検出されたか否か、及び／または、内部電源または外部電源により電力がベースステーション２００へ供給されたか否か、についての情報が表示される。
【００４３】
電源２０６は、それ自身が、比較的電圧の低い低電圧電源であるか、または、比較的電圧の低い低電圧電源を含んでもよく、例えば、搭載電源（例えば、１台または複数台のバッテリ）または（例えば、壁の差込口からの）電源などの外部電源から供給される９ＶＤＣの電源であり、この場合、電圧は、ＡＣから比較的低い電圧のＤＣ電圧へ変換されるか、外部バッテリユニットへ変換される。勿論、壁の差込口から電源を取る場合、電源２０６は、ＡＣ／ＤＣ変換器を有し、差込口からの電圧を比較的低い電圧へ変換する。一般に、コントロールパネル２０２及びコントローラ２０４などのベースステーション２００の構成要素には、特に、比較的低い電圧の電源２０６から電力が供給される。
【００４４】
必要に応じて、電源２０６は、それ自身が、上述した９ＶＤＣのような比較的低い電圧を比較的高い電圧、特に、比較的高いＤＣ電圧に変換する変圧器を有するか、またはこれに接続された、比較的高い電圧の高電圧電源であるか、または、そのような比較的高い電圧の高電圧電源を含んでもよい。高電圧は、溶液のテーラーコーンを生成できる電界を発生させるのに十分に高い高電圧でなければならず、また、溶液を帯電させ、寄生損失／キャパシタンスを克服するのに十分な電流供給がなされる必要がある。したがって、本発明の１以上の実施形態では、電源２０６により、十分な電流出力を伴った高電圧を発生させて、所望の電界紡糸または電界スプレー処理が行われる。高ＤＣ電圧は、約１４ｋＶＤＣが好適であり、約６ｋＶＤＣ乃至約３０ｋＶＤＣがより好適であり、約１１ｋＶＤＣ乃至約１４ｋＶＤＣがより一層好適であり、約１０ｋＶＤＣ乃至約１６ｋＶＤＣが最も好適である。必要に応じて、高電圧は、コントロールパネル２０２を用いて制御され、例えば、好適には約６ｋＶＤＣ乃至約３０ｋＶＤＣに、一層好適には約１１ｋＶＤＣ乃至約１４ｋＶＤＣに、そして、より一層好適には約１０ｋＶＤＣ乃至約１６ｋＶＤＣへ制御される。
【００４５】
例えば、コントロールパネル２０２及びコントローラ２０４で制御して、比較的高い電圧ＨＶを、伝送媒体４００を介してハンドセット３００へ供給できる。さらに、比較的高い電圧をハンドセット３００へ供給して、ハンドセット３００に収容された溶液中または溶液の周囲に電界（ＥＦ）を発生させて、電界紡糸溶液又は電界スプレー溶液を噴射する。或いは、高電圧電源をハンドセット３００に設けてもよい。
【００４６】
なお、伝送媒体４００（またはその一部）は、ベースステーション２００に取り外し可能に接続されている。したがって、複数の異なるハンドセット３００を同じベースステーション２００に接続できる。コントロールパネル２００を用いて、ベースステーション２００に接続された特定のハンドセットの設定、構成等を制御できる。必要に応じて、ベースステーション２００は、ハンドセットの機種を検出して、検出した機種に応じて、自動的に設定及び構成等の一部または全てを設定する。或いは、ベースステーション２００は、コントロールパネル２０２を介して、ユーザが、特定の機種のハンドセットに基づいて、設定及び構成等を設定することが可能なように選択肢を表示してもよい。同様に、接地線５００をベースステーション２００に着脱自在に接続してもよい。
【００４７】
或いは、システム１００は、ベースステーション２００ではなく、ハンドセット３００を備えてもよい。すなわち、１以上の実施形態では、ベースステーション２００の構成要素をハンドセット３００内に備え、それにより、ハンドセット３００を独立した電界紡糸装置または電界スプレー装置として完全に動作させることができる。例えば、ハンドセット３００は、電界紡糸処理又は電界スプレー処理を実行するための高電圧ＨＶを供給する電源と、ハンドセット３００の電気モータなどのハンドセット３００の他の構成要素に電力を供給するための比較的低い電圧（例えば、９ＶＤＣ）を供給する電源と、を有してもよい。必要に応じて、伝送媒体４００をハンドセット３００に接続しておいて、例えば、電源（例えば、壁の差込口）から電力を供給することが可能である。勿論、後者の場合には、比較的高い電圧はハンドセット３００により供給されるので、伝送媒体４００は、比較的高い電圧に対応している必要はない。或いは、ハンドセット３００は、ハンドセット３００に直接接続された、またはハンドセット３００の内部に設けられた１台若しくは複数台のバッテリを用いて、局所的に電力の供給を受けてもよい。
【００４８】
ハンドセット３００は、本体アセンブリ３１０及び噴射アセンブリ３５０を備える。噴射アセンブリ３５０は、例えば、１つまたは複数のスナップフィット式の接続を利用して着脱自在に本体アセンブリ３１０に接続することができる。噴射アセンブリ３５０は、噴射口またはノズル３５２を有するが、代わりに、ノズルに接続することができる。必要に応じて、ノズル３５２が噴射アセンブリ３５０の一部であるか、または、噴射アセンブリ３５０の別の構成要素であるかは別として、ノズル３５２は着脱自在に本体アセンブリ３１０に接続できる。一般に、ユーザが、制御インプットを本体アセンブリ３１０へ入力して、高電圧ＨＶを発生させ、高電圧ＨＶに対応する電界を噴射アセンブリ３５０内の溶液中または周囲に印加して、溶液が、電界紡糸溶液または電界スプレー溶液としてノズル３５２から噴射される。
【００４９】
本体アセンブリ３１０は、耐久品とみなせ、そして、噴射アセンブリ３５０は、本体アセンブリ３１０が何度も何度も使えることから、使い捨て品とみなせる一方、噴射アセンブリ３５０の一部または全部は、使い切られ、したがって、交換される。勿論、本体アセンブリ３１０自体は、１台又は複数台のバッテリなどの使い捨て品を有してもよい。別の見方をすれば、ハンドセット３００の「使い捨て」部は以下の２つの方法のうちの１つの方法、すなわち、シングルユース構成またはマルチユース構成で実装される。シングルユース構成は、噴射アセンブリ３５０全体は、取り外し可能となっており、別の噴射アセンブリ３５０全体と取り換え可能とする方法である。マルチユース構成は、噴射アセンブリ３５０の一部、例えば、使い捨てハウジング（例えば、カープル）又は溶液収容部等の、噴射アセンブリ３５０の一部のみを取り外して、別の使い捨てハウジングまたは溶液収容部と取り換え可能とする方法である。
【００５０】
噴射アセンブリ３５０は、例えば、収容器（例えば、カープル、カートリッジ等）に溶液を収容することができる。収容器が空になった場合、または、別種の溶液が必要となった場合、噴射アセンブリ３５０全体を本体アセンブリ３１０から取り外して、別の噴射アセンブリ３５０を所定の場所に設ける。或いは、１以上の実施形態では、噴射アセンブリ３５０の一部のみ、例えば、収容器のみを取り換えることが可能である。
【００５１】
図２Ａは、本発明の１以上の実施形態に係るハンドセット６００（すなわち、携帯型手持ち式の装置）の非限定例の断面図であり、ハンドセット６００は、その内部に貯蔵した溶液を、電界紡糸溶液又は電界スプレー溶液として噴射する。図２Ｂは、図２Ａの手持ち式装置の部分拡大図である。より具体的には、図２Ｂは、ロックを表している。
【００５２】
ハンドセット６００は、本体アセンブリ６１０及び噴射アセンブリ６５０を備える。噴射アセンブリ６５０は、噴射口またはノズル６５２を有するか、或いは、ノズル６５２に接続することができる。すなわち、ノズル６５２は、噴射アセンブリ６５０の一部であり、あるいは、ノズル６５２とは別体の構成要素である。必要に応じて、本体アセンブリ６１０は、伝送媒体４００に接続され、伝送媒体４００は、次に、ベースステーション２００等のベースステーションに接続される。
【００５３】
本体アセンブリ６１０は、ハウジング６１１と、ユーザコントロールインタフェース６１２と、モータ６１４と、アクチュエータ６１６とを備える駆動部と、噴射アセンブリ６５０へ高電圧ＨＶを供給する高電圧ＨＶコネクタ６２４と、本体アセンブリ６１０及びハンドセット６００の様々な態様、動作及び機能を全体として制御する電気回路６１８と、を備える。必要に応じて、本体アセンブリ６１０は、ハンドセット６００の距離、例えば、ノズル先端６７０の、堆積面からの距離を決定する距離センサ６２０を有してもよい。必要に応じて、本体アセンブリ６１０は、溶液充填レベル検出器６２２を有してもよい。必要に応じて、本体アセンブリ６１０は、噴射アセンブリ６５０が、本体アセンブリ６１０へ適切に接続されているか否かを検出する検出器を有してもよい。必要に応じて、本体アセンブリ６１０は、噴射アセンブリ６５０のフィードバック表示器６５７等のフィードバック表示器用の光を出力する光源６２８を有し、追加として、または代替として、本体アセンブリ６１０は、ユーザに対して視覚的な及び／又は聴覚的なフィードバックを提供する、１つ以上のフィードバック表示器を備える。必要に応じて、本体アセンブリ６１０は、振動及び／または軽打（タッピング）などの触覚フィードバックをユーザに提供する触覚フィードバック機構６３０を備える。本体アセンブリ６１０の構成要素については下記により詳細に説明をする。フィードバック表示器６５７は、距離センサ６２０からの信号に基づいて動作する。或いは、視覚に基づくシステムをハンドセット６００、特に、ノズル先端６７０の堆積面からの適切な離間距離を決定するいわゆるフィードバックとして利用してもよい。視覚に基づくシステムは、交差する光（例えば、レーザ）を実装して、ユーザが、堆積面に対するノズル先端６７０の適切な位置を、確認できるようにする。
【００５４】
噴射アセンブリ６５０は、ハウジング６５１、フィードバック表示器６５７、導電ロッド６５４、高電圧コネクタ６５６、使い捨てハウジング６５８であって、栓６５９及び溶液を収容する溶液収容器６６０を有する使い捨てハウジング６５８、ニードル電極６６２、並びに、ノズル６５２を備える。必要に応じて、噴射アセンブリ６５０は、また、電極６６５を備え、電極６６５は、円盤電極、板状電極、または、フランジ電極(以下、「円盤電極６６５」という)である。本明細書にて記載される場合、ニードル電極６６２を第１電極とし、円盤電極６６５を第２電極とする。噴射アセンブリ６５０の構成要素を以下に詳細に説明する。
【００５５】
以下の段落においては、本体アセンブリ６１０の選択した構成要素をより詳細に説明する。
【００５６】
本体アセンブリ６１０のユーザコントロールインタフェース６１２は、例えば、触覚スイッチ又はトリガーである（図２Ａに図示した）。ユーザコントロールインタフェース６１２は、ユーザによる入力、例えば、ユーザの指または親指による入力により起動し、ハンドセット６００を起動する。具体的には、ユーザが、ユーザコントロールインタフェース６１２を起動して、モータ６１４を起動し、溶液をノズル６５２へ送り出して、ノズル６５２から噴射させるか、または、高電圧ＨＶを生成して、高電圧ＨＶに対応する電界を発生させて溶液に印加するか、または、その双方を行うことができる。一般に、ユーザコントロールインタフェース６１２は、例えば、ノズル６５２から十分に離れて配置され、ノズル６５２との干渉を防止する。ユーザコントロールインタフェース６１２は、ノズル６５２から約４４ｍｍ離して配置されるが、これには限定されない。
【００５７】
必要に応じて、ユーザコントロールインタフェース６１２は、半押し／全押しの触覚スイッチまたはトリガーのような多段階のユーザインタフェースであってもよい。したがって、例えば、第１段階で、ハンドセット６００の設定をチェックして、例えば、ハンドセット６００が適切に位置決めされているか、すなわち、堆積面（例えば、ユーザの皮膚）に対して遠く離れすぎたり近すぎたりしないかを特定する。すなわち、第１段階は、電界紡糸溶液または電界スプレー溶液を噴射する前の、ハンドセット６００の深さ調整に使用される段階である。第２段階は、モータ６１４と、溶液に直接または溶液の周囲に印加する高電圧とを制御して、電界紡糸溶液又は電界スプレー溶液を噴射させる段階である。
【００５８】
一般に、遠過ぎるとは、約１２０ｍｍ超えて、好適には約１１０ｍｍを超えて離れていることと定義される。例えば、約１１０ｍｍ乃至約１２０ｍｍは遠過ぎると見なせ、１２０ｍｍを超えると、不安定なほど、遠過ぎると見なすことが可能であり、その場合には、例えば、基準を満たさない、欠陥のある電界スプレーまたは電界紡糸が発生する。一般に、近過ぎるとは、約３０ｍｍよりも接近していること、好適には約４０ｍｍまたはそれよりも接近していることと定義される。例えば、堆積面に対する高電圧ＨＶに関しては、約３０ｍｍ乃至約４０ｍｍは、近過ぎると見なされ、約３０ｍｍよりも接近すると不安定なほど、近過ぎると見なされる。したがって、許容できる閾値は、約４０ｍｍ乃至約５０ｍｍ及び／または約１００ｍｍ乃至約１１０ｍｍであり、好適には、例えば、約５０ｍｍ乃至約１００ｍｍである。
【００５９】
任意で、ハンドセット６００の設定に応じて、ハンドセット６００が特定の色の光等のインジケータを出力する。ユーザがユーザコントロールインタフェース６１２の第２段階を起動した時に、ノズル６５２から溶液を噴射することができる。必要に応じて、上述したとおり、第２段階で高電圧ＨＶを溶液に印加してもよい。
【００６０】
駆動部のモータ６１４は、アクチュエータ６１６を駆動する、例えば、ステッピングモータであり、アクチュエータ６１６は、リニアアクチュエータである。ユーザコントロールインタフェース６１２を操作することで、モータ６１４及びアクチュエータ６１６を制御できる。一般的に、アクチュエータ６１６を起動すると、プランジャが溶液収容器（より詳細に後述する）に対して駆動され、溶液が、溶液収容器６６０からノズル６５２へ送り出されて高電圧ＨＶが印加され、電界紡糸溶液又は電界スプレー溶液がノズル６５２から噴射される。必要に応じて、例えば、電気回路６１８により、モータをプログラムで制御できる。そのようなプログラムを組むことで、特定の適用条件に基づいて使用される、異なった流れプロファイル（フロープロファイル）が提供され、特定の適用条件には、環境、塗布溶液の種類、印加する高電圧ＨＶ等が含まれる。必要に応じて、アクチュエータ６１６を制御して、電界紡糸操作または電界スプレー操作の前に、溶液流路から空気を除去して、ハンドセット６００を準備する。
【００６１】
モータ６１４及びアクチュエータ６１６は、逆吸引を行わないようにしてもよい。すなわち、１以上の実施形態において、溶液の逆吸引はしなくてもよい。或いは、モータ６１４及びアクチュエータ６１６は、例えば、所定継続時間において逆吸引を実行するように制御してもよい。所定継続時間は、ノズル６５２から溶液の噴射が止まった後、好適には約０．１秒、より好適には約０．５秒とすることが可能である。
【００６２】
電気回路６１８は、ハンドセット６００のそれぞれの構成要素に低電圧及び高電圧を供給する電源（明確な図示なし）と、噴射アセンブリ３５０に高電圧ＨＶを給電して、ノズル６５２において、溶液に印加される電界を生成する高電圧コネクタ６２４とを備えることが可能である。
【００６３】
必要に応じて、電気回路６１８の少なくとも一部は、プリント回路基板（ＰＣＢ）を用いて実装される。ＰＣＢは、例えば、図２Ａに図示するように配置することが可能である。或いは、噴射アセンブリ６５０の内部に配置することが可能である。このように配置することにより、距離センサ６２０等の距離センサ及び／または噴射アセンブリ６５０の一部としてのハンドセット状態インジケータの配置が容易になる。さらに、この場合、ＰＣＢは、噴射アセンブリ６５０から取り外すことができない。すなわち、そのような場合には、溶液収容器等の噴射アセンブリ６５０の一部を取り外して交換してもよい。
【００６４】
高電圧コネクタ６２４は、ばね式ポゴコネクタとすることが可能であり、ポゴコネクタは、噴射アセンブリ６５０が本体アセンブリ６１０に適切に接続された時にのみ、コネクタに高電圧ＨＶを供給する。すなわち、ばね式ポゴコネクタは、電気回路６１８のメス部材と接触して、原則的に高電圧回路が閉（オン）になり、噴射アセンブリ６５０が、本体アセンブリ６１０と接続されていない場合、ばね式ポゴコネクタは、メス部材との接続が切られ、高電圧回路が開（オフ）になる。
【００６５】
電気回路６１８は、また、溶液充填レベル検出器６２２を備える。或いは、溶液充填レベル検出器６２２は、電気回路６１８とは別の部品としてもよい。溶液充填レベル検出器６２２は、図２Ａに図示してあるようなホール効果センサ列を備えるか、または、ホール効果センサ列を用いて実装できる。
【００６６】
例えば、ホール効果センサ列は、アクチュエータ６１６の位置を検出できる。例として、１００％充填レベルは、アクチュエータ６１６のホーム位置として検出され、１５％充填レベルは、アクチュエータ６１６の終端位置から１５％の位置として検出され、そして、約０％又は約１％の充填レベルは、アクチュエータ６１６の終端位置（つまり、全移動工程を移動した位置）として検出される。必要に応じて、１％または０％を検出した場合、アクチュエータ６１６を制御して、例えば、ホーム位置まで後退させ、及び／または、ユーザコントロールインタフェース６１２の動作を停止させる。電気回路６１８を使用して上記制御を実行することが可能である。ハンドセット６００の異なるインジケータを使用して、溶液収納器６６０の検出された充填状態または充填レベルを特定できる。例えば、検出された充填レベルが、所定閾値を超えている場合、光源等のインジケータを常時点灯させる。必要に応じて、上記構成に追加又は代替として、光源は、充填レベルを示す特定の色を出力してもよい。検出した充填レベルが、閾値以下（必要に応じて、別の閾値以上）である場合には、インジケータが変化する。例えば、インジケータは、パルスとなる。そのような場合、光の色が変化しても、同じ色のままであってもよい。検出した充填レベルが別の閾値に達した場合、インジケータが変化する。例えば、インジケータは、パルスの間隔が変化しても、色が変化してもよい。これらは、単に一例であって、充填レベルのインジケータまたは、充填レベルに応じた動作、検出した充填レベルに基づいて本発明の１以上の実施形態に従って提供される動作を限定するものではない。
【００６７】
電気回路６１８は、また、距離センサ６２０を備えてもよい。或いは、距離センサ６２０は、電気回路６１８とは別の部品としてもよい。距離センサ６２０は、例えば、図２Ａに示すように配置することができる。或いは、距離センサ６２０は、噴射アセンブリ６５０の内部または噴射アセンブリ６５０に設けることができる。一般的には、距離センサ６２０は、ハンドセット６００、例えば、ノズル６５２から堆積面までの距離を決定する。距離センサ６２０からの信号を提供して、ハンドセット６００の動作を制御する。例えば、距離センサ６２０からの信号を電気回路６１８へ送って、例えば、モータ６１４及び／またはユーザコントロールインタフェース６１２を制御して、動作を停止させることができる。すなわち、必要に応じて、ハンドセット６００は、距離センサ６２０からの信号に基づいて、電極へ供給される高電圧ＨＶを自動的に停止させる。そのような制御は、距離センサ６２０からの信号が、ハンドセット６００が堆積面から遠く離れ過ぎていたり、及び／または堆積面に接近し過ぎていたりしていることを示している場合に行われる。電気回路６１８は、また、距離センサ６２０からの信号を処理して、ハンドセット６００が堆積面に対して適切な位置にあるか否かを決定し、それにより、堆積面に向けて電界紡糸溶液又は電界スプレー溶液を噴射させる。
【００６８】
本体アセンブリ６１０は、使い捨て検出器６２６を備え、この使い捨て検出器６２６は、スイッチを有する。必要に応じて、使い捨て検出器６２６は、電気回路６１８の一部としてもよい。或いは、使い捨て検出器６２６は、電気回路６１８とは別の部品であってもよい。使い捨て検出器６２６は、噴射アセンブリ６５０が、本体アセンブリ６１０に適切に接続されているか否かを検出する。例えば、噴射アセンブリ６５０が、本体アセンブリ６１０に適切に接続されている場合、使い捨て検出器６２６は、噴射アセンブリ６５０が、本体アセンブリ６１０に接続されていることを示す信号を出力する。必要に応じて、そのような信号は、本体アセンブリ６１０上のフィードバック表示器６５７及び／または噴射アセンブリ６５０を制御して、適切な接続を示す表示を出力する。追加として、または代替として、そのような信号は、ユーザコントロールインタフェース６１２の起動及び／または電極への高電圧ＨＶの供給の起動をさせる。逆に、そのような信号がない場合、ユーザコントロールインタフェース６１２の動作を停止させ、及び／または、電極への高電圧ＨＶの供給を停止させる。必要に応じて、使い捨て検出器６２６は、安全ロックピン６２７（図４にその例を示す）を備えるか、または安全ロックピン６２７と連動するようにし、安全ロックピン６２７は、本体アセンブリ６１０の対応する収容部(不図示)と係合し、高電圧ＨＶが発生して、噴射アセンブリ６５０へ供給する前に、噴射アセンブリ６５０が、本体アセンブリ６１０に対して所定位置により確実に配置される。図４には、ロックピン６２７の形態で安全ロックが示されているが、安全ロックは、他の形態をとることも可能であり、フランジ付きキー、ショルダー付きキー、コーナー付きキー、及び／または、エッジ付きキーのような幾何学的構成が含まれる。追加として、または代替として、必要に応じて、図２Ｂに示したように、安全ロックは、押圧部材６３３及び被押圧部材６３５を備える。一般に、噴射アセンブリ６５０の押圧部材６３３（例えば、ピン）は、噴射アセンブリ３５０が本体アセンブリ３１０へ適切に接続されると、被押圧部材６３５に接触して、押圧し、被押圧部材６３５を変位させて、高電圧を供給する回路が完成する。
【００６９】
本体アセンブリ６１０は、１以上のライト等の光源６２８を備える。必要に応じて、光源６２８は、１以上の発光ダイオード（ＬＥＤｓ）を備えてもよい。必要に応じて、光源６２８は、電気回路６１８の一部であってもよい。或いは、光源６２８は、電気回路６１８とは別の部品であってもよい。光源６２８は、光を制御してインジケータに出力し、インジケータは、図２Ａに示したように、本体アセンブリ６１０の一部または噴射アセンブリ６５０の一部として設けることが可能である。さらに、光源６２８を制御して、使い捨て検出器６２６、距離センサ６２０及び／またはユーザコントロールインタフェース６１２からの信号に基づいて、例えば、特定色及び／または一定した光を出力する。必要に応じて、光源６２８は、使い捨て検出器６２６、距離センサ６２０及び／またはユーザコントロールインタフェース６１２からの信号に基づいて、異なる色の光を個々に一度に出力する。
【００７０】
必要に応じて、本体アセンブリ６１０は、触覚フェードバック機構６３０を備える。触覚フィードバック機構は、例えば、振動モータを備える。触覚フィードバック機構６３０は、振動及び／または軽打（タッピング）でフィードバックを提供する。そのようなフィードバックは、例えば、距離センサ６２０で感知されるように、ハンドセット６００が堆積面からどれだけ離れているかに基づいてもよい。例えば、ハンドセット６００が第１所定距離閾値を超えた場合、触覚フィードバック機構６３０が、フィードバックを送り始める。触覚フィードバック機構６３０は、第２所定距離閾値を超えた時点で、異なるフィードバックへ移行する。例えば、第１所定距離閾値を超えた場合、触覚フィードバック機構６３０は、振動を開始させ、第２所定距離閾値を超えた場合、より強く、または別のパターンで振動させる。さらに、第１所定距離閾値及び第２所定距離閾値は、ハンドセット６００が堆積面へ近づく移動方向に一致しても、またこれとは別に、ハンドセット６００が堆積面から遠ざかる移動方向に一致してもよい。
【００７１】
噴射アセンブリ６５０の選定した構成要素をより詳細に以下に説明する。図４乃至図７を参照して、噴射アセンブリ６５０の様々な側面をより詳細に以下に説明する。
【００７２】
上述したように、噴射アセンブリ６５０は、ハウジング６５１、フィードバック表示器６５７、導電ロッド６５４、高電圧コネクタ６５６、栓６５９及び溶液を収容する溶液収容器６６０を有する使い捨てハウジング６５８、及びニードル電極６６２を備え、必要に応じて、ノズル６５２及び円盤電極６６５を備えてもよい。図３乃至図７は、噴射アセンブリ６５０をより詳細に図示する。
【００７３】
図３に示すように、噴射アセンブリ６５０は、例えば、スナップフィット式またはクリップオン式の１つまたは複数の接続部材を用いて、取り外し自在（すなわち、接続及び切断）に本体アセンブリ６１０に接続できる。噴射アセンブリ６５０は、例えば、取り替えられた噴射アセンブリ６５０内の溶液収容器６６０の溶液が空であるか、または、所定充填レベル量まで減少したときに、取り外して別の噴射アセンブリ６５０と交換される。図６は、本体アセンブリ６１０の対応する収容部に嵌合するクリップオン式のコネクタ６５５（対抗するコネクタは不図示）の一例を示す。コネクタ６５５（及び対抗するコネクタ）押し込むと、噴射アセンブリ６５０を本体アセンブリ６１０から取り外せる。
【００７４】
噴射アセンブリ６５０と本体アセンブリ６１０とを接続すると、電力、特に、高電圧ＨＶが出力アセンブリ６５０へ供給され、溶液に印加される電界が生成され、電界紡糸溶液または電界スプレー溶液が噴射される。特に、噴射アセンブリ６５０と本体アセンブリ６１０とが適切に接続されると、金属（例えば、ステンレス鋼、真鍮）等の導電材料で形成されたコネクティングロッド６５４の一端が、ＨＶコネクタ６２４内に収容されて、高電圧ＨＶがコネクティングロッド６５４並びにニードル電極６６２及び円盤電極６６５が設けられている場合には、ニードル電極６６２及び円盤電極６６５へ供給される。これは、コネクティングロッド６５４が、例えば、ばね式接続部材を用いて円盤電極６６５と接触するからである。必要に応じて、高電圧ＨＶがＨＶコネクタ６２４へ供給される場合、特定の電界紡糸または電界スプレー操作中に、高電圧をパルス的ではなく、また、変動させることなく、連続して供給できる。勿論、ＨＶコネクタ６２４へ供給される高電圧ＨＶは、例えば、ベースステーション２００のコントロールパネル２０２を用いて、電界紡糸／電界スプレー操作から電界紡糸／電界スプレー操作に変更できる。また、アクチュエータ６１６の突起（ｂоｓｓ）を使い捨てハウジング６５８の凹部へ収容し、突起を栓６５９へ当接させ、栓６５９を使い捨てハウジング６５８内部へ移動させて、ノズル６５２から溶液をニードル電極６６２へ噴射する。
【００７５】
噴射アセンブリ６５０は、フィードバック表示器６５７を備え、追加として、又は代替として、フィードバック表示器６５７を本体アセンブリ６１０の一部としてもよい。フィードバック表示器６５７は、例えば、ハンドセット６００の状態や特徴等の視覚的出力をユーザに提供する。例えば、フィードバック表示器６５７は、光源６２８に動作可能なように接続された光路６５３を備え、光源６２８からの光が、フィードバック表示器６５７で出力される。追加として、又は代替として、１以上のフィードバック表示器を追加して設け（不図示）、音声フィードバックの形態のフィードバックを提供する。例えば、１以上のスピーカを設けることが可能である。電気回路６１８が、ハンドセット６００の状況に関した保存された事前に録音されたメッセージを出力し、出力されるメッセージは、例えば、堆積面からの距離に関して、ハンドセット６００が正しい位置にあるか否か、溶液収容器６６０が空か否か、ハンドセット６００が電界紡糸または電界スプレー操作の準備ができているか（否か）などである。
【００７６】
使い捨てハウジング６５８は、栓６５９及び溶液を収容する溶液収容器６６０を備える。上述のように、アクチュエータ６１６の突起（ｂоｓｓ）を使い捨てハウジング６５８の凹部へ収容し、突起を栓６９５へ当接させる。アクチュエータ６１６が移動することで、突起が栓６５９へ作用して、栓６５９が使い捨てハウジング６５８の内部へ移動し、溶液をニードル電極６６２へ向けて押圧すると共にニードル電極６６２の内部へ押し込んで、最終的にはノズル６５２から溶液が噴射される。溶液は、使い捨てハウジング６５８内に貯蔵され、使用されるまでの間大気への暴露が制限される。例えば、溶液が使用される場合、ニードル電極６６２の後部が、溶液収容器６６０への開口部を覆う密閉フィルムまたは膜を穿刺して、溶液塊とノズル６５２の出口との間でニードル電極６６２を経由した流体経路を形成する。
【００７７】
必要に応じて、使い捨てハウジング６５８は、例えば、使っていたものが空になるか、または、溶液の検出量が所定充填レベルを下回った場合に、別の使い捨てハウジング６５８とハウジング６５１内で交換される。追加として、又は代替として、噴射アセンブリ６５０全体を本体アセンブリ６１０から取り外して、別の噴射アセンブリ６５０等の別の噴射アセンブリと交換することもできる。
【００７８】
上述のように、ニードル電極６６２は、中空であっても、また、導電性を有していてもよい。したがって、ニードル電極６６２は、溶液の流体経路と、高電圧ＨＶにより生成された電界によって生じた電荷の溶液に注入するための導電性表面と、の２つの機能を果たす。より具体的には、ニードル電極６６２は、ノズル６５２の一部とすることも可能であり、溶液収容部６６０から溶液を受け取るように中空であってもよく、ノズル先端６７０またはノズル先端６７０の直前で溶液を噴射することが可能となる。一般的には、ニードル電極及びノズル先端６７０で形成される流路は、任意の実質的な方法で、溶液と化学的にまたは生理化学的に反応しないか、または、実質的に反応しない材料で形成される。
【００７９】
必要に応じて、図５に概略図示するように、ニードル電極６６２用の高電圧ＨＶ経路には、抵抗を設けなくてもよい。必要に応じて、図４及び図７の右図に示すように、ニードル電極６６２は、ノズル先端６７０からセットバック量ＳＢ分だけ後退させてもよい。１以上の実施形態において、ニードル電極６６２は、好適には、ノズル先端６７０から約１．５ｍｍ乃至約２．５ｍｍ、より好適には約２．５ｍｍ、より一層好適には、約１．５ｍｍのセットバック量ＳＢで後退させられる。ニードル電極６６２の上記セットバック量ＳＢは、電界紡糸溶液が、横方向へ分散するのを低減させ、これにより、電界紡糸繊維のウェブが、的を絞ったものにされる。
【００８０】
必要に応じて、図２乃至図７に示す実施形態等の１以上の実施形態において、ノズル６５２が、噴射アセンブリ６５０とは別の部品であると特定された場合、円盤電極６６５を噴射アセンブリ６５０の一部として、または、ノズル６５２の一部として設けてもよい。或いは、１以上の実施形態において、円盤電極６６５を設けずに、ニードル電極６６２だけを設けてもよい。必要に応じて、図５に概略図示したように、ニードル電極６６２及び円盤電極６６５への高電圧ＨＶ経路を分けられる。必要に応じて、図５に概略図示したように、円盤電極６６５への高電圧ＨＶ経路に抵抗を設けなくてもよい。さらに、円盤電極６６５とニードル電極６６２とが、同じ極性であってもよい。ニードル電極６６２の電界とは別の電界であると見ることが可能である円盤電極６６５の電界は、電界紡糸溶液が、横方向へ分散するのを低減させ、これにより、電界紡糸繊維のウェブが、的を絞ったものにされる。
【００８１】
ノズル６５２は、例えば、図７に図示したような、ネジ接続を介してハウジング６５１から取り外すことができる。したがって、所望の電界紡糸特性または電界スプレー特性に応じて、異なるノズルを使用できる。さらに、ノズル６５２は、適切な誘電率を有する１つまたは複数の絶縁材料から形成して、ニードル電極６６２を電気的に絶縁する。例えば、本発明の１以上の実施形態では、ライナー／シース６７１をニードル電極６６２に設け、ライナー／シース６７１は、一方の側でニードル電極６６２の先端を通過し、他方の側でニードル電極６６２の他端まで、例えば、（円盤電極６６５を設けている場合には）円盤電極６６５まで伸長してもよい。ライナー／シース６７１は、ポリテトラフルオロエチレン（ＰＴＦＥ）から成るライナー／シースとすることが可能であり、例えば、電界紡糸を実施する場合、ライナー／シース６７１が、例えば、テーラーコーンを形成する点において、溶液がノズルに固着または凝固するのを防止、または、最小限にすることが可能となる。必要に応じて、図７に示すように、ノズル６５２の一部は、例えば、ＰＴＦＥ等の第１非導電材料で形成し、ノズル６５２の一部であって、取り外し自在にハウジング６５１に接続される一部は、例えば、ポリプロピレン（ＰＰ）等の第２非導電材料で形成される。
【００８２】
図８は、本発明の１以上の実施形態に係る方法８００の基本的なフローチャートである。
【００８３】
ステップ８０２において、方法８００は、開示した本発明の実施形態に係る装置またはシステムを提供する。必要に応じて、ステップ８０２における、装置またはシステムを提供するステップには、装置またはシステムの溶液を入れ替えるステップが含まれる。例えば、噴射アセンブリ全体を本明細書で説明した実施形態に係る本体アセンブリに接続するステップを含み、噴射アセンブリは、装置またはシステムから噴射する所望溶液を有する。別の例では、所望の溶液を収容する噴射アセンブリの収容器（例えば、カープル、カートリッジ等）のみを設け、例えば、収容器が空になった場合や、溶液の種類の変更が望まれる場合に、収容器のみを入れ替えるステップを含む。
【００８４】
ステップ８０４において、方法８００は、例えば、本明細書に記載したように、提供された装置またはシステムを使用する。提供された装置またはシステムを使用するステップにおいて、ユーザの皮膚等の堆積面に溶液を堆積するステップを含む。必要に応じて、電界スプレー溶液又は電界紡糸溶液を皮膚にすでに塗布した化粧品の上に堆積するステップを含んでもよい。或いは、電界スプレー溶液又は電界紡糸溶液を皮膚に直接堆積するステップを含んでもよい。必要に応じて、例えば、皮膚に直接堆積させた溶液上に、別の層（又は複数層）、例えば、化粧層を設けるステップを含んでもよい。このように、１以上の実施形態では、堆積した電界スプレー溶液又は電界紡糸溶液は、ベース層または上層、例えば、中間層または外側層のいずれかとして、いわゆる多層塗布の一部を形成してもよい。
【００８５】
ステップ８０６において、方法８００は、例えば、溶液を使い切った場合、または、単に、溶液の種類を変更したい場合、装置またはシステムの溶液を入れ替える。上述したように、噴射アセンブリ全体を入れ替えて溶液を変更してもよいし、或いは、所望溶液を収容した噴射アセンブリの収容器（例えば、カープル、カートリッジ等）のみを入れ替えて溶液を変更してもよい。
【００８６】
開示した本発明の実施形態では、溶液噴射装置、特に、携帯型手持ち式の溶液噴射装置の向きに機能的に依存しない電界紡糸プロセスまたは電界スプレープロセスを提供し、人体の特に困難な領域等の比較的困難な領域に向けて、配置して、堆積面上に溶液を噴射する。また、開示した本発明の実施形態は、モジュール構造を実装することができ、複数の物理的構成、複数種類の溶液及び／または溶液の複数の噴射特性を利用できる。さらに、開示した本発明の実施形態では、試料間での汚染を引き起こすことなく、容易に溶液を入れ替えられる。
【００８７】
開示した本発明の実施形態は、下記の段落の括弧付き番号に従って説明することが可能である。
【００８８】
（１）携帯型手持ち式の装置であって、前記装置用に配合した所定溶液を堆積面に向けて電界紡糸又は電界スプレーする装置において、前記装置は、耐久部と、前記耐久部に接続された使い捨て部と、を備え、前記使い捨て部は、ノズル先端から前記溶液を噴射する中空ノズルであって、前記中空ノズルが、前記装置の外部へ前記溶液を流す流路の第１部を規定する中空電極を有し、前記ノズル先端が前記流路の第２部を規定する、前記中空ノズルと、所定最大量の前記溶液を収容し、前記溶液を前記中空電極へ出力するハウジングと、を備え、前記耐久部は、前記ハウジングから前記中空電極へ前記溶液を出力する駆動機構と、ユーザからの手動入力を受けて前記駆動機構と前記中空電極への高電圧の印加とを制御して、前記溶液に印加する電界を生成し、前記溶液を前記中空ノズルから前記堆積面へ向けて電界紡糸又は電界スプレーするユーザコントロールインタフェースと、を備え、電気回路が前記中空電極へ前記高電圧を供給する、携帯型手持ち式の装置。
【００８９】
（２）前記中空電極の遠位末端は、前記ノズル先端から後退または引っ込められている（１）に記載の装置。
【００９０】
（３）後退量または引っ込み量は、前記ノズル先端から約１．５ｍｍ乃至約２．５ｍｍである（１）または（２）に記載の装置。
【００９１】
（４）前記溶液は、コーティング形成能を有する水不溶性ポリマである（１）乃至（３）のいずれか１つに記載の装置。
【００９２】
（５）前記溶液は、化粧品処方である（１）乃至（４）のいずれか１つに記載の装置。
【００９３】
（６）前記高電圧は、前記中空電極へ直接的または間接的に供給される（１）乃至（５）のいずれか１つに記載の装置。
【００９４】
（７）前記高電圧は、抵抗を経由することなく前記中空電極に供給される（１）乃至（６）のいずれか１つに記載の装置。
【００９５】
（８）前記所定最大量の前記溶液を収容する前記ハウジングは、前記所定最大量の前記溶液を収容する容器収容器を有し、前記溶液収容器は、前記ハウジングから取り外し可能であり、且つ別の溶液収容器と入れ替え可能である（１）乃至（７）のいずれか１つに記載の装置。
【００９６】
（９）前記装置の前記ユーザを接地する接地経路をさらに備える（１）乃至（８）のいずれか１つに記載の装置。
【００９７】
（１０）前記使い捨て部は、前記電気回路から前記高電圧を受電する第２電極をさらに備える（１）乃至（９）のいずれか１つに記載の装置。
【００９８】
（１１）前記第２電極は、円盤形状、板形状、またはフランジ形状である（１）乃至（１０）のいずれか１つに記載の装置。
【００９９】
（１２）前記所定最大量の前記溶液を収容する前記ハウジングは、カープルである（１）乃至（１１）のいずれか１つに記載の装置。
【０１００】
（１３）前記耐久部は、前記駆動機構を収容し、前記ユーザコントロールインタフェースを提供するハウジングを備え、前記耐久部は、ユーザが片手で保持でき、前記ユーザが前記耐久部を片手で保持した場合、前記ユーザコントロールインタフェースは、前記ユーザの指又は親指で操作される（１）乃至（１２）のいずれか１つに記載の装置。
【０１０１】
（１４）前記装置は、前記装置から離れたベースステーションから伝送媒体を経由して前記高電圧を受電する（１）乃至（１３）のいずれか１つに記載の装置。
【０１０２】
（１５）前記伝送媒体は、電気送電線束を有する可撓性ケーブルまたは可撓性コードであり、前記ベースステーションから前記装置へ前記高電圧を送電する少なくとも１本の高電圧電気送電線を含む（１）乃至（１４）のいずれか１つに記載の装置。
【０１０３】
（１６）ベースステーションをさらに備え、前記ベースステーションは、前記装置を収容格納する収容部を有する（１）乃至（１５）のいずれか１つに記載の装置。
【０１０４】
（１７）前記ユーザコントロールインタフェースは、少なくとも２つの動作状態で前記装置を操作する（１）乃至（１６）のいずれか１つに記載の装置。
【０１０５】
（１８）第１動作状態は、前記駆動機構が付勢されていない休止（「オフ」）状態であり、前記高電圧が前記装置によりまたは前記装置に供給されていない状態、第２動作状態は、前記駆動機構が動作している準備（「プライム」）状態であり、前記高電圧が前記装置によりまたは前記装置に供給されていない状態、及び／または、第３動作状態は、前記駆動機構が動作している活動（「アクティブ」）状態であり、前記高電圧が前記中空電極に供給されている状態、である（１）乃至（１７）のいずれか１つに記載の装置。
【０１０６】
（１９）前記第３動作状態において、前記駆動機構は、前記高電圧が前記中空電極に供給された場合、前記ハウジングから前記中空電極を経由して前記ノズル先端に前記溶液が送られるように促し、前記中空ノズルの前記ノズル先端で前記溶液が電界紡糸される（１）乃至（１８）のいずれか１つに記載の装置。
【０１０７】
（２０）前記使い捨て部は、前記耐久部に取り外し可能に接続され、前記使い捨て部が前記耐久部から取り外されて別の使い捨て部と交換される（１）乃至（１９）のいずれか１つに記載の装置。
【０１０８】
（２１）前記耐久部は、第１ハウジングを有し、前記使い捨て部は、前記第１ハウジングとは異なる第２ハウジングを有し、前記使い捨て部の前記第２ハウジングは、前記耐久部の前記第１ハウジングに対して取り外し可能および再取り付け可能である（１）乃至（２０）のいずれか１つに記載の装置。
【０１０９】
（２２）前記ユーザコントロールインタフェースは、トリガー、触覚スイッチ及び触覚ボタンのうちの１つを備える（１）乃至（２１）のいずれか１つに記載の装置。
【０１１０】
（２３）前記トリガー、前記触覚スイッチ、または前記触覚ボタンは、非動作状態を除く複数の動作状態に応じて前記装置を動作させる（１）乃至（２２）のいずれか１つに記載の装置。
【０１１１】
（２４）前記耐久部は、前記高電圧を出力する高電圧電源を有する（１）乃至（２３）のいずれか１つに記載の装置。
【０１１２】
（２５）前記耐久部は、低電圧電源を備える（１）乃至（２４）のいずれか１つに記載の装置。
【０１１３】
（２６）前記使い捨て部は、ハウジングと、前記中空ノズルとを有し、前記中空ノズルは、前記ハウジングに取り外し可能に接続され、前記中空ノズルが前記ハウジングから取り外し可能となっている（１）乃至（２５）のいずれか１つに記載の装置。
【０１１４】
（２７）前記中空電極の遠位末端を含む一部を取り囲む絶縁シースをさらに有する（１）乃至（２６）のいずれか１つに記載の装置。
【０１１５】
（２８）前記電気回路は、前記装置の１以上の動作パラメータのプリセットを実装し、前記１以上の動作パラメータは、前記高電圧、前記高電圧に対応する動作電流、前記駆動機構の駆動速度、及び前記駆動機構の駆動方向を含む（１）乃至（２７）のいずれか１つに記載の装置。
【０１１６】
（２９）前記駆動機構は、リニアアクチュエータであるか、または、リニアアクチュエータを含む（１）乃至（２８）のいずれか１つに記載の装置。
【０１１７】
（３０）前記駆動機構は、ステッピングモータであるか、または、ステッピングモータを含む（１）乃至（２９）のいずれか１つに記載の装置。
【０１１８】
（３１）前記駆動機構は、容積式機構であるか、または、容積式機構を含む（１）乃至（３０）のいずれか１つに記載の装置。
【０１１９】
（３２）前記使い捨て部は、前記高電圧を受電する第２電極をさらに有し、前記第２電極は、前記中空電極の一部を囲繞する（１）乃至（３１）のいずれか１つに記載の装置。
【０１２０】
（３３）前記第２電極は、円盤形状、板形状、または、フランジ形状である（１）乃至（３２）のいずれか１つに記載の装置。
【０１２１】
（３４）前記駆動機構及び前記高電圧の電圧量を制御することで、前記装置が噴射する電界紡糸繊維の量、前記装置が噴射する電界紡糸繊維の分散、及び前記装置が噴射する電界紡糸繊維のサイズのうちの１以上を変化させる（１）乃至（３３）のいずれか１つに記載の装置。
【０１２２】
（３５）前記電気回路は、前記堆積面に対する前記ノズル先端の位置を感知する位置センサからの信号に基づいて、前記装置の距離状態を検出し、前記駆動機構及び前記高電圧の前記中空電極への供給を停止させ、前記駆動機構及び前記高電圧の前記中空電極への供給を稼働又は再稼働させ、並びに、検出された前記距離状態を表す前記ユーザに対して少なくとも１つの表示を起動する、ことのうちの１以上を検出する（１）乃至（３４）のいずれか１つに記載の装置。
【０１２３】
（３６）前記電気回路は、前記堆積面に対する前記ノズル先端の位置を感知する位置センサからの信号に基づいて、前記装置の距離状態を検出し、前記装置の感知または検出された特性に基づいて、前記ユーザに対して１以上の表示を出力する（１）乃至（３５）のいずれか１つに記載の装置。
【０１２４】
（３７）前記少なくとも１つの表示は、検出された前記距離状態に特有の前記ユーザに視認可能な光を含む（１）乃至（３６）のいずれか１つに記載の装置。
【０１２５】
（３８）前記電気回路は、前記堆積面に対する前記ノズル先端の感知された距離に基づいて、前記装置の動作可能状態と動作不能状態とを切り替える（１）乃至（３７）のいずれか１つに記載の装置。
【０１２６】
（３９）前記電気回路は、前記ハウジング内の溶液量を検出する充填レベル検出器を備える（１）乃至（３８）のいずれか１つに記載の装置。
【０１２７】
（４０）前記電気回路は、検出された前記ハウジング内の前記溶液量に対応する視覚表示を出力する（１）乃至（３９）のいずれか１つに記載の装置。
【０１２８】
（４１）前記電気回路は、前記ユーザが前記耐久部を保持している場合、前記ユーザに対してフィードバックを供給する触覚フィードバック機構を備える（１）乃至（４０）のいずれか１つに記載の装置。
【０１２９】
（４２）前記触感フィードバックは、振動及び軽打のうちの少なくとも１つである（１）乃至（４１）のいずれか１つに記載の装置。
【０１３０】
（４３）前記溶液は、コーティング形成能を有する水不溶性ポリマである（１）乃至（４２）のいずれか１つに記載の装置。
【０１３１】
（４４）前記コーティング形成能を有する前記水不溶性ポリマは、コーティング形成後に不溶化できる完全鹸化ポリビニルアルコール、架橋剤と併用することでコーティング形成後に架橋できる部分鹸化ポリビニルアルコール、ポリ（Ｎ−プロパノイルエチレンイミン）グラフト−ジメチルシロキサン／γ−アミノプロピルメチルシロキサン共重合体を含むオキサゾリン変性シリコーン、ポリビニルアセタールジエチルアミノアセテート、ゼイン（とうもろこし蛋白質の主要成分）、ポリエステル、ポリ乳酸（ＰＬＡ）、ポリアクリロニトリル樹脂またはポリメタクリル酸樹脂を含むアクリル樹脂、ポリスチレン樹脂、ポリビニルブチラール樹脂、ポリエチレンテレフタレート樹脂、ポリブチレンテレフタレート樹脂、ポリウレタン樹脂、ポリアミド樹脂、ポリイミド樹脂、ポリアミドイミド樹脂、及びポリビニルブチラール樹脂から成る群から選択される（１）乃至（４３）のいずれか１つに記載の装置。
【０１３２】
（４５）前記溶液は、成分（ａ）、成分（ｂ）、及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマである（１）乃至（４４）のいずれか１つに記載の装置。
【０１３３】
（４６）前記アルコールは、鎖式脂肪族一価アルコールのうちの１以上、１以上の環式脂肪族一価アルコール、及び／または、１以上の芳香族一価アルコールを含み、且つ、前記ケトンは、アセトン、メチルエチルケトン、及びメチルイソブチルケトンのうちの１以上を含む（１）乃至（４５）のいずれか１つに記載の装置。
【０１３４】
（４７）前記アルコールは、エタノール、イソプロピルアルコール、及びブチルアルコールから選択される少なくとも１種からなる（１）乃至（４６）のいずれか１つに記載の装置。
【０１３５】
（４８）前記アルコールは、エタノール及びブチルアルコールから選択される少なくとも１種からなる（１）乃至（４７）のいずれか１つに記載の装置。
【０１３６】
（４９）前記アルコールは、エタノールからなる（１）乃至（４８）のいずれか１つに記載の装置。
【０１３７】
（５０）携帯型手持ち式の装置であって、前記装置用に配合した所定溶液を堆積面に向けて電界紡糸する装置において、前記装置は、耐久部と、前記耐久部に接続された使い捨て部と、を備え、前記使い捨て部は、ノズル先端から前記溶液を噴射する中空ノズルであって、前記装置の外部へ前記溶液を流す流路の第１部を規定する中空電極を有し、前記ノズル先端が前記流路の第２部を規定し、前記中空電極は、第１伝導経路を経由して供給された受電高電圧を出力し、別の電極が、前記第１伝導経路とは異なる第２伝導経路を経由して供給された受電高電圧を出力する前記中空ノズルと、所定最大量の前記溶液を収容し、前記溶液を前記中空電極へ提供するハウジングと、を備え、前記耐久部は、前記ハウジングから前記中空電極へ溶液を出力する駆動機構と、ユーザからの手動入力を受信して前記駆動機構及び前記中空電極への前記高電圧の印加と、前記別の電極への前記高電圧の印加と、を制御して前記溶液に印加する電界を生成して、前記溶液を前記中空ノズルから前記堆積面へ向けて電界紡糸するユーザコントロールインタフェースとを備え、電気回路は、前記高電圧を前記中空電極へ供給する、携帯型手持ち式の装置。
【０１３８】
（５１）前記別の電極は、導電円盤、導電板、または、導電フランジのうちの１つである（５０）に記載の装置。
【０１３９】
（５２）前記別の電極と前記中空電極とは、同軸に配置され、前記別の電極が、前記中空電極が通過する通路を備える（５０）または（５１）に記載の装置。
【０１４０】
（５３）前記別の電極と前記中空電極とは、電気的に相互接続されている（５０）乃至（５２）のいずれか１つに記載の装置。
【０１４１】
（５４）前記別の電極へ供給される前記高電圧は、前記中空電極へ供給される前記高電圧とは異なる（５０）乃至（５３）のいずれか１つに記載の装置。
【０１４２】
（５５）前記別の電極と前記中空電極とは、電気的に絶縁されるか、または、相互に絶縁される（５０）乃至（５４）のいずれか１つに記載の装置。
【０１４３】
（５６）前記中空電極の遠位末端は、前記ノズル先端から後退または引っ込められている（５０）乃至（５５）のいずれか１つに記載の装置。
【０１４４】
（５７）後退量または引っ込み量は、前記ノズル先端から約２．５ｍｍである（５０）乃至（５６）のいずれか１つに記載の装置。
【０１４５】
（５８）前記溶液は、化粧品処方である（５０）乃至（５７）のいずれか１つに記載の装置。
【０１４６】
（５９）前記高電圧は、前記中空電極及び前記別の電極へ直接的か間接的のいずれか一方で供給される（５０）乃至（５８）のいずれか１つに記載の装置。
【０１４７】
（６０）前記高電圧は、前記使い捨て部内の抵抗を経由せずに前記中空電極に供給され、且つ、前記高電圧は、前記使い捨て部内の抵抗を経由せずに前記別の電極に供給される（５０）乃至（５９）のいずれか１つに記載の装置。
【０１４８】
（６１）前記別の電極は、前記中空電極の遠位末端と前記ハウジングとの間に配置される（５０）乃至（６０）のいずれか１つに記載の装置。
【０１４９】
（６２）前記別の電極と前記中空電極とは、同一極性で動作する（５０）乃至（６１）のいずれか１つに記載の装置。
【０１５０】
（６３）前記別の電極と前記中空電極とは、前記高電圧を同時に受電し、それぞれの電界または電界部分を同時に生成する（５０）乃至（６２）のいずれか１つに記載の装置。
【０１５１】
（６４）前記別の電極は、前記中空ノズルにおいて前記溶液に電位勾配を印加する（５０）乃至（６３）のいずれか１つに記載の装置。
【０１５２】
（６５）前記溶液は、ポリマ溶液である（５０）乃至（６４）のいずれか１つに記載の装置。
【０１５３】
（６６）前記ポリマ溶液は、コーティング形成能を有する水不溶性ポリマである（５０）乃至（６５）のいずれか１つに記載の装置。
【０１５４】
（６７）前記コーティング形成能を有する前記水不溶性ポリマは、コーティング形成後に不溶化できる完全鹸化ポリビニルアルコール、架橋剤と併用することでコーティング形成後に架橋できる部分鹸化ポリビニルアルコール、ポリ（Ｎ−プロパノイルエチレンイミン）グラフト−ジメチルシロキサン／γ−アミノプロピルメチルシロキサン共重合体を含むオキサゾリン変性シリコーン、ポリビニルアセタールジエチルアミノアセテート、ゼイン（とうもろこし蛋白質の主要成分）、ポリエステル、ポリ乳酸（ＰＬＡ）、ポリアクリロニトリル樹脂またはポリメタクリル酸樹脂を含むアクリル樹脂、ポリスチレン樹脂、ポリビニルブチラール樹脂、ポリエチレンテレフタレート樹脂、ポリブチレンテレフタレート樹脂、ポリウレタン樹脂、ポリアミド樹脂、ポリイミド樹脂、ポリアミドイミド樹脂、及びポリビニルブチラール樹脂からなる群から選択される（５０）乃至（６６）のいずれか１つに記載の装置。
【０１５５】
（６８）前記溶液は、成分（ａ）、成分（ｂ）、及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマである（５０）乃至（６７）のいずれか１つに記載の装置。
【０１５６】
（６９）前記アルコールは、鎖式脂肪族一価アルコールのうちの１以上、１以上の環式脂肪族一価アルコール、及び／または、１以上の芳香族一価アルコールを含み、且つ、前記ケトンは、アセトン、メチルエチルケトン、及びメチルイソブチルケトンのうちの１以上を含む（５０）乃至（６８）のいずれか１つに記載の装置。
【０１５７】
（７０）前記アルコールは、エタノール、イソプロピルアルコール、及びブチルアルコールから選択される少なくとも１種からなる（５０）乃至（６９）のいずれか１つに記載の装置。
【０１５８】
（７１）前記アルコールは、エタノール及びブチルアルコールから選択される少なくとも１種からなる（５０）乃至（７０）のいずれか１つに記載の装置。
【０１５９】
（７２）前記アルコールは、エタノールからなる（５０）乃至（７１）のいずれか１つに記載の装置。
【０１６０】
（７３）電界紡糸または電界スプレーシステムであって、高電圧を供給する供給手段と、前記高電圧に基づいて、電界を生成し、生成した前記電界を溶液に印加する生成手段と、前記溶液を噴射して、前記電界の印加を受ける第１噴射手段と、前記溶液を電界紡糸溶液または電界スプレー溶液として噴射する第２噴射手段と、前記生成手段及び前記溶液を前記静電紡糸溶液または静電スプレー溶液として噴射する第２噴射手段を制御する制御手段と、を備えるシステム。
【０１６１】
（７４）(１)乃至（７３）のいずれか１つに記載の装置またはシステムを提供するステップ、製造するステップ、または、使用するステップを含む方法。
【０１６２】
（７５）前記方法は、（１）乃至（７２）のいずれか１つに記載の装置または（７３）に記載のシステムを提供するステップと、前記装置または前記システムを使用するステップと、を含む（７４）に記載の方法。
【０１６３】
（７６）前記堆積面は、皮膚である(７４)または（７５）に記載の方法。
【０１６４】
（７７）前記装置または前記システムを使用するステップにおいて、前記皮膚にすでに塗布されている化粧品の上に前記溶液を電界紡糸または電界スプレーするステップを含む(７４)乃至（７６）のいずれか１つに記載の方法。
【０１６５】
（７８）前記装置または前記システムを使用するステップにおいて、前記皮膚に直接前記溶液を電界紡糸または電界スプレーし、続いて、前記溶液上に直接的または間接的に化粧品を塗布するステップを含む(７４)乃至（７７）のいずれか１つに記載の方法。
【０１６６】
（７９）前記装置または前記システム使用するステップの前に、前記溶液を交換するステップを含む(７４)乃至（７８）のいずれか１つに記載の方法。
【０１６７】
（８０）前記装置または前記システムを使用するステップの後に、前記溶液を交換するステップをさらに含む(７４)乃至（７９）のいずれか１つに記載の方法。
【０１６８】
（８１）携帯型手持ち式の装置であって、前記装置用に配合した所定溶液を堆積面に向けて電界紡糸又は電界スプレーする装置において、前記装置は、第１端と、前記第１端とは反対の第２端とを有する耐久部と、前記耐久部の前記第１端に接続された使い捨て部と、を備え、前記使い捨て部は、電極と、ノズル先端から前記溶液を噴射するように構成された中空ノズルであって、前記中空ノズルが前記装置の外部へ前記溶液を流す流路の第１部を規定し、前記ノズル先端が前記流路の第２部を規定する、前記中空ノズルと、所定最大量の前記溶液を収容し、前記溶液を前記中空ノズルへ噴射するハウジングと、を備え、前記耐久部は、前記ハウジングから前記中空ノズルへ前記溶液を出力する駆動機構と、ユーザからの押圧操作である手動入力を受けて、径方向内方へ移動して、前記駆動機構と前記電極への高電圧の印加とを制御して前記溶液に印加する電界を生成し、前記溶液を前記中空ノズルから前記堆積面へ向けて電界紡糸又は電界スプレーするスイッチを有するユーザコントロールインタフェースと、を備え、電気回路は、前記高電圧を前記中空電極へ供給し、前記スイッチは、前記使い捨て部の前記ハウジングが前記耐久部の前記第２端に接近するよりも、前記耐久部の前記第２端により接近している、携帯型手持ち式の装置。
【０１６９】
（８２）前記電極の遠位末端は、前記流路の前記第１部を規定する前記中空ノズルの内部にあり、前記ノズル先端から後退または引っ込められている（８１）に記載の装置。
【０１７０】
（８３）前記溶液は、コーティング及び繊維形成能を有する水不溶性ポリマのポリマ溶液である（８１）または（８２）に記載の装置。
【０１７１】
（８４）前記所定最大量の前記溶液を収容する前記ハウジングは、前記所定最大量の前記溶液を収容する溶液収容器を有し、前記溶液収容器は、前記ハウジングから取り外されて、別の溶液収容器と交換される（８１）乃至（８３）のいずれか１つに記載の装置。
【０１７２】
（８５）前記耐久部は、前記駆動機構を収容し、前記ユーザコントロールインタフェースを提供するハウジングを備え、前記耐久部は、前記ユーザが片手で保持し、前記ユーザが前記耐久部を片手で保持した場合、前記ユーザコントロールインタフェースは、前記ユーザの指または親指で操作され、前記スイッチが押圧解放される（８１）乃至（８４）のいずれか１つに記載の装置。
【０１７３】
（８６）前記装置は、前記装置から離れたベースステーションから伝送媒体を経由して前記高電圧を受電する（８１）乃至（８５）のいずれか１つに記載の装置。
【０１７４】
（８７）前記使い捨て部の前記ハウジングは、前記耐久部のハウジングに対して取り外し可能および再取り付け可能である（８１）乃至（８６）のいずれか１つに記載の装置。
【０１７５】
（８８）前記中空ノズルは、取り外し自在に前記ハウジングに接続されて、前記中空ノズルは、前記ハウジングから取り外し可能となる（８１）乃至（８７）のいずれか１つに記載の装置。
【０１７６】
（８９）前記電極の一部を取り囲む絶縁シースをさらに備え、前記一部は、前記電極の遠位末端を有し、電極は、中空である（８１）乃至（８８）のいずれか１つに記載の装置。
【０１７７】
（９０）前記電気回路は、前記装置の１以上の動作パラメータのプリセットを実装し、前記１以上の動作パラメータは、前記高電圧、前記高電圧に対応する動作電流、前記駆動機構の駆動速度、及び前記駆動機構の駆動方向を含む（８１）乃至（８９）のいずれか１つに記載の装置。
【０１７８】
（９１）前記溶液は、成分（ａ）、成分（ｂ）及び成分（ｃ）を含む液剤であり、成分（ａ）は、アルコール及びケトンからなる群から選択した１以上の揮発性物質であり、成分（ｂ）は、水であり、成分（ｃ）は、コーティング形成能を有する１以上のポリマである（８１）乃至（９０）のいずれか１つに記載の装置。
【０１７９】
（９２）前記装置は、前記電界紡糸溶液または電界スプレー溶液を、前記高電圧として約６ｋＶ乃至約３０ｋＶの電圧を用いて、約０．０５乃至約０．５ｍｌ／ｍｉｎの流速で前記中空ノズルから噴射し、前記溶液のアルコール含有量は、７０％を超える（８１）乃至（９１）のいずれか１つに記載の装置。
【０１８０】
（９３）携帯型手持ち式の装置であって、前記装置用に配合した所定溶液を堆積面に向けて電界紡糸又は電界スプレーする装置において、前記装置は、耐久部と、前記耐久部に接続された使い捨て部と、前記装置の軸線方向へ沿って配置された導電ロッドと、を備え、前記使い捨て部は、電極と、ノズル先端から前記溶液を噴射する中空ノズルであって、前記中空ノズルが、前記装置の外部へ前記溶液を流す流路の第１部を規定し、前記ノズル先端が前記流路の第２部を規定する前記中空ノズルと、所定最大量の前記溶液を収容し、前記溶液を前記中空ノズルへ出力するハウジングと、を備え、前記耐久部は、前記ハウジングから前記中空ノズルへ前記溶液を出力する駆動機構と、ユーザからの手動入力を受けて前記駆動機構と前記中空電極への高電圧の印加とを制御して、前記溶液に印加する電界を生成し、前記溶液を前記中空ノズルから前記堆積面へ向けて電界紡糸又は電界スプレーするユーザコントロールインタフェースと、を備え、電気回路が前記中空電極へ前記高電圧を供給し、前記導電ロッドが、前記溶液を収容する前記使い捨て部の前記ハウジングの径方向外側に配置される、携帯型手持ち式の装置。
【０１８１】
（９４）前記溶液は、成分（ａ）、成分（ｂ）及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマであり、前記アルコールは、鎖式脂肪族一価アルコールのうちの１以上、１以上の環式脂肪族一価アルコール、及び／または、１以上の芳香族一価アルコールを含み、前記ケトンは、アセトン、メチルエチルケトン、及びメチルイソブチルケトンのうちの１以上を含む（９３）に記載の装置。
【０１８２】
（９５）前記導電ロッドの第１端は、電源から前記高電圧を受電するように配置され、前記第１端と反対の前記導電ロッドの第２端は、弾性部材を用いて前記電極へ電気的に接続される（９３）または（９４）に記載の装置。
【０１８３】
（９６）携帯型手持ち式の装置であって、前記装置用に配合した所定溶液を堆積面に向けて電界紡糸又は電界スプレーする装置において、前記装置は、第１端と、前記第１端とは反対の第２端とを有する耐久部と、第３端と、前記第３端とは反対の第４端とを有する使い捨て部とを備え、前記使い捨て部は前記耐久部へ取り外し自在に接続され、前記使い捨て部は、電極と、ノズル先端から前記溶液を噴射する中空ノズルであって、前記中空ノズルが、前記装置の外部へ前記溶液を流す流路の第１部を規定し、前記ノズル先端が前記流路の第２部を規定する前記中空ノズルと、所定最大量の前記溶液を収容し、前記溶液を前記中空ノズルへ出力するハウジングとを備え、前記耐久部は、前記ハウジングから前記中空ノズルへ前記溶液を出力する駆動機構と、ユーザからの手動入力を受けて前記駆動機構と前記電極への高電圧の印加とを制御して、前記溶液に印加する電界を生成し、前記溶液を前記中空ノズルから前記堆積面へ向けて電界紡糸又は電界スプレーするユーザコントロールインタフェースと、を備え、電気回路が前記中空電極へ前記高電圧を供給し、前記使い捨て部の前記第３端が、インタフェースにおいて、前記耐久部の前記第１端へ取り外し可能に接続され、前記使い捨て部の外側表面と前記耐久部の外側表面とは、前記インタフェースにて一致し、前記使い捨て部と前記耐久部とは、前記装置の径方向中心で長手方向の中心軸線に沿って整列され、前記使い捨て部の一部は、前記耐久部の前記第１端から、前記耐久部内の前記使い捨て部の一部より長く伸長する、携帯型手持ち式の装置。
【０１８４】
（９７）前記使い捨て部と前記耐久部とは、前記使い捨て部が、前記耐久部へ取り外し可能に接続される場合、針形状となる(９６)に記載の装置。
【０１８５】
（９８）前記ユーザからの前記手動入力を受ける前記ユーザコントロールインタフェースの領域における前記耐久部の軸線方向の幅と直交方向の幅との比が、約３．５：１乃至約１２：１である（９６）または（９７）に記載の装置。
【０１８６】
（９９）前記装置の軸線方向に沿って配置された導電ロッドをさらに備え、前記導電ロッドが、前記溶液を収容する前記使い捨て部の前記ハウジングの径方向外側に配置される（９６）乃至（９８）のいずれか１つに記載の装置。
【０１８７】
（１００）前記ユーザコントロールインタフェースは、前記ユーザからの押圧操作である前記手動入力を受けて、径方向内方へ移動し、前記駆動機構と前記電極への高電圧の印加とを制御して、前記溶液に印加する電界を生成し、前記溶液を前記中空ノズルから前記堆積面へ向けて電界紡糸又は電界スプレーするスイッチを備え、前記スイッチが、前記使い捨て部の前記ハウジングが前記耐久部の前記第２端に接近するよりも前記耐久部の前記第２端へより接近している（９６）乃至（９９）のいずれか１つに記載の装置。
【０１８８】
（１０１）（８１）乃至（１００）のいずれか１つに記載の装置を提供するステップと、前記装置を使用するステップと、を含む方法。
【０１８９】
（１０２）前記堆積面は、皮膚である（１０１）に記載の方法。
【０１９０】
（１０３）前記装置を使用するステップにおいて、前記皮膚にすでに塗布された化粧品上に前記溶液を電界紡糸または電界スプレーするステップを含む（１０１）または（１０２）に記載の方法。
【０１９１】
（１０４）前記装置を使用するステップにおいて、前記皮膚に直接前記溶液を電界紡糸または電界スプレーするステップと、前記溶液上に直接的または間接的に化粧品を塗布するステップと、を含む（１０１）乃至（１０３）のいずれか１つに記載の方法。
【０１９２】
（１０５）前記装置を使用するステップの前に、前記溶液を交換するステップを含む（１０１）乃至（１０４）のいずれか１つに記載の方法。
【０１９３】
（１０６）前記装置を使用するステップの後に、前記溶液を交換するステップをさらに含む（１０１）乃至（１０５）のいずれか１つに記載の方法。
【０１９４】
開示の本発明の実施形態を説明してきたが、当業者であれば、上述の説明は、単なる例示であって、本発明を限定するものではないことは明らかである。従って、本明細書において特定の構成について説明し、図示してきたが、その他の構成も採用でき、また、採用されている。さらに、多数の変形例やその他の実施形態（例えば、組み合わせ、再配置等）が本開示によって実施可能となり、それらは、本発明及びその均等物の範囲内であるものと考えられる。開示された本発明の特徴は、開示した本発明の範囲内で、組み合わせ、再配置、省略等をして追加の実施形態を生成することができる。さらに、特定の特徴は、その他の特徴を対応して使用することなく効果的に使用することが可能である。従って、出願人は、開示の本発明の趣旨及び範囲内にあるそのような代替例、変更例、均等例、及び、変形例の全てを含むことを意図する。
【符号の説明】
【０１９５】
１００  システム
２００  ベースステーション
２０２  コントロールパネル
２０４  コントローラ
２０６  電源
２０８  ハンドセット収容部
３００  ハンドセット
３１０  本体アセンブリ／耐久部
３５０  噴射アセンブリ／使い捨て部
３５２  ノズル
ＨＶ  高電圧
４００  伝送媒体
５００  接地線
５０１  接地ストラップ
５０２  接地線
６００  ハンドセット
６１０  本体アセンブリ
６１１  ハウジング
６１２  ユーザコントロールインタフェース
６１４  モータ
６１６  アクチュエータ
６１８  電気回路
６２０  距離センサ
６２２  充填レベル検出器
６２４  ＨＶコネクタ
６２６  使い捨て検出器
６２７  ピン
６２８  光源
６３０  触感フィードバック機構
６３３  押圧部材
６３５  被押圧部材
６５０  噴射アセンブリ
６５１  ハウジング
６５２  ノズル
６５３  光路
６５４  導電ロッド
６５５  コネクタ
６５６  高電圧コネクタ
６５７  フィードバック表示器
６５８  使い捨てハウジング
６５９  栓
６６０  溶液収容器
６６２  ニードル電極
ＳＢ  セットバック
６６５  円盤電極
６７０  ノズル先端
６７１  ライナー／シース
８００  方法
８０２  ステップ
８０４  ステップ
８０６  ステップ
【図１】
2021503567.tif 000003
【図２Ａ】
2021503567.tif 000004
【図２Ｂ】
2021503567.tif 000005
【図３】
2021503567.tif 000006
【図４】
2021503567.tif 000007
【図５】
2021503567.tif 000008
【図６】
2021503567.tif 000009
【図７】
2021503567.tif 000010
【図８】
2021503567.tif 000011
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
携帯型手持ち式の装置であって、前記装置用に配合した所定溶液を堆積面に向けて電界紡糸又は電界スプレーする装置において、
前記装置は、
第１端と、前記第１端と反対の第２端と、を有する耐久部と、
前記耐久部の前記第１端に接続された使い捨て部と、
を備え、
前記使い捨て部は、
電極と、
ノズル先端から前記溶液を噴射するように構成された中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ噴射するハウジングと、
を備え、
前記耐久部は、
前記ハウジングから前記中空ノズルへ前記溶液を出力する駆動機構と、
ユーザからの押圧操作である手動入力を受けて、径方向内方へ移動して、前記駆動機構と前記電極への高電圧の印加とを制御して前記溶液に印加する電界を生成し、前記溶液を前記中空ノズルから前記堆積面へ向けて電界紡糸又は電界スプレーするスイッチを有するユーザコントロールインタフェースと、
を備え、
電気回路は、前記高電圧を前記中空電極へ供給し、
前記スイッチは、前記使い捨て部の前記ハウジングが前記耐久部の前記第２端に接近するよりも、前記耐久部の前記第２端により接近している、
携帯型手持ち式の装置。
【請求項２】
前記電極の遠位末端は、前記流路の前記第１部を規定する前記中空ノズルの内部にあり、前記ノズル先端から後退または引っ込められている請求項１に記載の装置。
【請求項３】
前記装置は、前記装置から離れたベースステーションから伝送媒体を経由して前記高電圧を受電する請求項１または２に記載の装置。
【請求項４】
前記電極の一部を取り囲む絶縁シースをさらに備え、前記一部は、前記電極の遠位末端を有し、前記電極は、中空である請求項１乃至３のいずれか１項に記載の装置。
【請求項５】
前記溶液は、成分（ａ）、成分（ｂ）及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマである請求項１乃至４のいずれか１項に記載の装置。
【請求項６】
前記装置は、前記電界紡糸溶液または電界スプレー溶液を、前記高電圧として約６ｋＶ乃至約３０ｋＶの電圧を用いて、約０．０５乃至約０．５ｍｌ／ｍｉｎの流速で中空ノズルから噴射し、
前記溶液のアルコール含有量は、７０％を超える請求項１乃至５のいずれか１項に記載の装置。
【請求項７】
携帯型手持ち式の装置であって、前記装置用に配合した所定溶液を堆積面に向けて電界紡糸又は電界スプレーする装置において、
前記装置は、
耐久部と、
前記耐久部に接続された使い捨て部と、
前記装置の軸線方向へ沿って配置された導電ロッドと、
を備え、
前記使い捨て部は、
電極と、
ノズル先端から前記溶液を噴射する中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ出力するハウジングと、
を備え、
前記耐久部は、
前記ハウジングから前記中空ノズルへ前記溶液を出力する駆動機構と、
ユーザからの手動入力を受けて前記駆動機構と前記中空電極への高電圧の印加とを制御して、前記溶液に印加する電界を生成し、前記溶液を前記中空ノズルから前記堆積面へ向けて電界紡糸又は電界スプレーするユーザコントロールインタフェースと、
を備え、
電気回路が前記中空電極へ前記高電圧を供給し、
前記導電ロッドが、前記溶液を収容する前記使い捨て部の前記ハウジングの径方向外側に配置される、
前記携帯型手持ち式の装置。
【請求項８】
前記導電ロッドの第１端は、電源から前記高電圧を受電するように配置され、前記第１端と反対の前記導電ロッドの第２端は、弾性部材を用いて前記電極へ電気的に接続される請求項７に記載の装置。
【請求項９】
携帯型手持ち式の装置であって、前記装置用に配合した所定溶液を堆積面に向けて電界紡糸又は電界スプレーする装置において、
前記装置は、
第１端と、前記第１端とは反対の第２端と、を有する耐久部と、
第３端と、前記第３端とは反対の第４端と、を有する使い捨て部であって、前記耐久部へ取り外し自在に接続される使い捨て部と、
を備え、
前記使い捨て部は、
電極と、
ノズル先端から前記溶液を噴射する中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ出力するハウジングと、
を備え、
前記耐久部は、
前記ハウジングから前記中空ノズルへ前記溶液を出力する駆動機構と、
ユーザからの手動入力を受けて前記駆動機構と前記電極への高電圧の印加とを制御して、前記溶液に印加する電界を生成し、前記溶液を前記中空ノズルから前記堆積面へ向けて電界紡糸又は電界スプレーするユーザコントロールインタフェースと、
を備え、
電気回路が前記中空電極へ前記高電圧を供給し、
前記使い捨て部の前記第３端が、インタフェースにおいて、前記耐久部の前記第１端へ取り外し可能に接続され、前記使い捨て部の外側表面と前記耐久部の外側表面とは、前記インタフェースにて一致し、前記使い捨て部と前記耐久部とは、前記装置の径方向中心で長手方向の中心軸線に沿って整列され、
前記使い捨て部の一部は、前記耐久部の前記第１端から、前記耐久部内の前記使い捨て部の一部より長く伸長する、
前記携帯型手持ち式の装置。
【請求項１０】
前記ユーザからの前記手動入力を受ける前記ユーザコントロールインタフェースの領域における前記耐久部の軸線方向の幅と直交方向の幅との比が、約３．５：１乃至約１２：１である請求項９に記載の装置。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
携帯型手持ち式の装置であって、前記装置用に配合した所定溶液を堆積面に向けて電界紡糸又は電界スプレーする装置において、
前記装置は、
第１端と、前記第１端と反対の第２端と、を有する耐久部と、
前記耐久部の前記第１端に接続された使い捨て部と、
を備え、
前記使い捨て部は、
電極と、
ノズル先端から前記溶液を噴射するように構成された中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ噴射するハウジングと、
を備え、
前記耐久部は、
前記ハウジングから前記中空ノズルへ前記溶液を出力する駆動機構と、
ユーザからの押圧操作である手動入力を受けて、径方向内方へ移動して、前記駆動機構と前記電極への高電圧の印加とを制御して前記溶液に印加する電界を生成し、前記溶液を前記中空ノズルから前記堆積面へ向けて電界紡糸又は電界スプレーするスイッチを有するユーザコントロールインタフェースと、
を備え、
電気回路は、前記高電圧を前記電極へ供給し、
前記スイッチは、前記使い捨て部の前記ハウジングが前記耐久部の前記第２端に接近するよりも、前記耐久部の前記第２端により接近している、
携帯型手持ち式の装置。
【請求項２】
前記電極の遠位末端は、前記流路の前記第１部を規定する前記中空ノズルの内部にあり、前記ノズル先端から後退または引っ込められている請求項１に記載の装置。
【請求項３】
前記装置は、前記装置から離れたベースステーションから伝送媒体を経由して前記高電圧を受電する請求項１または２に記載の装置。
【請求項４】
前記電極の一部を取り囲む絶縁シースをさらに備え、前記一部は、前記電極の遠位末端を有し、前記電極は、中空である請求項１乃至３のいずれか１項に記載の装置。
【請求項５】
前記溶液は、成分（ａ）、成分（ｂ）及び成分（ｃ）を含む液剤であり、成分（ａ）は、アルコール及びケトンからなる群から選択される１以上の揮発性物質であり、成分（ｂ）は、水であり、成分（ｃ）は、コーティング形成能を有する１以上のポリマである請求項１乃至４のいずれか１項に記載の装置。
【請求項６】
前記装置は、前記電界紡糸溶液または電界スプレー溶液を、前記高電圧として約６ｋＶ乃至約３０ｋＶの電圧を用いて、約０．０５乃至約０．５ｍｌ／ｍｉｎの流速で中空ノズルから噴射し、
前記溶液のアルコール含有量は、７０％を超える請求項１乃至５のいずれか１項に記載の装置。
【請求項７】
携帯型手持ち式の装置であって、前記装置用に配合した所定溶液を堆積面に向けて電界紡糸又は電界スプレーする装置において、
前記装置は、
耐久部と、
前記耐久部に接続された使い捨て部と、
前記装置の軸線方向へ沿って配置された導電ロッドと、
を備え、
前記使い捨て部は、
電極と、
ノズル先端から前記溶液を噴射する中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ出力するハウジングと、
を備え、
前記耐久部は、
前記ハウジングから前記中空ノズルへ前記溶液を出力する駆動機構と、
ユーザからの手動入力を受けて前記駆動機構と前記電極への高電圧の印加とを制御して、前記溶液に印加する電界を生成し、前記溶液を前記中空ノズルから前記堆積面へ向けて電界紡糸又は電界スプレーするユーザコントロールインタフェースと、
を備え、
電気回路が前記電極へ前記高電圧を供給し、
前記導電ロッドが、前記溶液を収容する前記使い捨て部の前記ハウジングの径方向外側に配置される、
前記携帯型手持ち式の装置。
【請求項８】
前記導電ロッドの第１端は、電源から前記高電圧を受電するように配置され、前記第１端と反対の前記導電ロッドの第２端は、弾性部材を用いて前記電極へ電気的に接続される請求項７に記載の装置。
【請求項９】
携帯型手持ち式の装置であって、前記装置用に配合した所定溶液を堆積面に向けて電界紡糸又は電界スプレーする装置において、
前記装置は、
第１端と、前記第１端とは反対の第２端と、を有する耐久部と、
第３端と、前記第３端とは反対の第４端と、を有する使い捨て部であって、前記耐久部へ取り外し自在に接続される使い捨て部と、
を備え、
前記使い捨て部は、
電極と、
ノズル先端から前記溶液を噴射する中空ノズルであって、前記中空ノズルが、前記装置の外部へ前記溶液を流す流路の第１部を規定し、前記ノズル先端が前記流路の第２部を規定する、前記中空ノズルと、
所定最大量の前記溶液を収容し、前記溶液を前記中空ノズルへ出力するハウジングと、
を備え、
前記耐久部は、
前記ハウジングから前記中空ノズルへ前記溶液を出力する駆動機構と、
ユーザからの手動入力を受けて前記駆動機構と前記電極への高電圧の印加とを制御して、前記溶液に印加する電界を生成し、前記溶液を前記中空ノズルから前記堆積面へ向けて電界紡糸又は電界スプレーするユーザコントロールインタフェースと、
を備え、
電気回路が前記電極へ前記高電圧を供給し、
前記使い捨て部の前記第３端が、インタフェースにおいて、前記耐久部の前記第１端へ取り外し可能に接続され、前記使い捨て部の外側表面と前記耐久部の外側表面とは、前記インタフェースにて一致し、前記使い捨て部と前記耐久部とは、前記装置の径方向中心で長手方向の中心軸線に沿って整列され、
前記使い捨て部の一部は、前記耐久部の前記第１端から、前記耐久部内の前記使い捨て部の一部より長く伸長する、
前記携帯型手持ち式の装置。
【請求項１０】
前記ユーザからの前記手動入力を受ける前記ユーザコントロールインタフェースの領域における前記耐久部の軸線方向の幅と直交方向の幅との比が、約３．５：１乃至約１２：１である請求項９に記載の装置。
【手続補正２】
【補正対象書類名】明細書
【補正対象項目名】００７４
【補正方法】変更
【補正の内容】
【００７４】
噴射アセンブリ６５０と本体アセンブリ６１０とを接続すると、電力、特に、高電圧ＨＶが出力アセンブリ６５０へ供給され、溶液に印加される電界が生成され、電界紡糸溶液または電界スプレー溶液が噴射される。特に、噴射アセンブリ６５０と本体アセンブリ６１０とが適切に接続されると、金属（例えば、ステンレス鋼、真鍮）等の導電材料で形成された導電ロッド６５４の一端が、ＨＶコネクタ６２４内に収容されて、高電圧ＨＶが導電ロッド６５４並びにニードル電極６６２及び円盤電極６６５が設けられている場合には、ニードル電極６６２及び円盤電極６６５へ供給される。これは、導電ロッド６５４が、例えば、ばね式接続部材を用いて円盤電極６６５と接触するからである。必要に応じて、高電圧ＨＶがＨＶコネクタ６２４へ供給される場合、特定の電界紡糸または電界スプレー操作中に、高電圧をパルス的ではなく、また、変動させることなく、連続して供給できる。勿論、ＨＶコネクタ６２４へ供給される高電圧ＨＶは、例えば、ベースステーション２００のコントロールパネル２０２を用いて、電界紡糸／電界スプレー操作から電界紡糸／電界スプレー操作に変更できる。また、アクチュエータ６１６の突起（ｂоｓｓ）を使い捨てハウジング６５８の凹部へ収容し、突起を栓６５９へ当接させ、栓６５９を使い捨てハウジング６５８内部へ移動させて、ノズル６５２から溶液をニードル電極６６２へ噴射する。
【手続補正３】
【補正対象書類名】明細書
【補正対象項目名】０１６８
【補正方法】変更
【補正の内容】
【０１６８】
（８１）携帯型手持ち式の装置であって、前記装置用に配合した所定溶液を堆積面に向けて電界紡糸又は電界スプレーする装置において、前記装置は、第１端と、前記第１端とは反対の第２端とを有する耐久部と、前記耐久部の前記第１端に接続された使い捨て部と、を備え、前記使い捨て部は、電極と、ノズル先端から前記溶液を噴射するように構成された中空ノズルであって、前記中空ノズルが前記装置の外部へ前記溶液を流す流路の第１部を規定し、前記ノズル先端が前記流路の第２部を規定する、前記中空ノズルと、所定最大量の前記溶液を収容し、前記溶液を前記中空ノズルへ噴射するハウジングと、を備え、前記耐久部は、前記ハウジングから前記中空ノズルへ前記溶液を出力する駆動機構と、ユーザからの押圧操作である手動入力を受けて、径方向内方へ移動して、前記駆動機構と前記電極への高電圧の印加とを制御して前記溶液に印加する電界を生成し、前記溶液を前記中空ノズルから前記堆積面へ向けて電界紡糸又は電界スプレーするスイッチを有するユーザコントロールインタフェースと、を備え、電気回路は、前記高電圧を前記電極へ供給し、前記スイッチは、前記使い捨て部の前記ハウジングが前記耐久部の前記第２端に接近するよりも、前記耐久部の前記第２端により接近している、携帯型手持ち式の装置。
【手続補正４】
【補正対象書類名】明細書
【補正対象項目名】０１８０
【補正方法】変更
【補正の内容】
【０１８０】
（９３）携帯型手持ち式の装置であって、前記装置用に配合した所定溶液を堆積面に向けて電界紡糸又は電界スプレーする装置において、前記装置は、耐久部と、前記耐久部に接続された使い捨て部と、前記装置の軸線方向へ沿って配置された導電ロッドと、を備え、前記使い捨て部は、電極と、ノズル先端から前記溶液を噴射する中空ノズルであって、前記中空ノズルが、前記装置の外部へ前記溶液を流す流路の第１部を規定し、前記ノズル先端が前記流路の第２部を規定する前記中空ノズルと、所定最大量の前記溶液を収容し、前記溶液を前記中空ノズルへ出力するハウジングと、を備え、前記耐久部は、前記ハウジングから前記中空ノズルへ前記溶液を出力する駆動機構と、ユーザからの手動入力を受けて前記駆動機構と前記電極への高電圧の印加とを制御して、前記溶液に印加する電界を生成し、前記溶液を前記中空ノズルから前記堆積面へ向けて電界紡糸又は電界スプレーするユーザコントロールインタフェースと、を備え、電気回路が前記電極へ前記高電圧を供給し、前記導電ロッドが、前記溶液を収容する前記使い捨て部の前記ハウジングの径方向外側に配置される、携帯型手持ち式の装置。
【手続補正５】
【補正対象書類名】明細書
【補正対象項目名】０１８３
【補正方法】変更
【補正の内容】
【０１８３】
（９６）携帯型手持ち式の装置であって、前記装置用に配合した所定溶液を堆積面に向けて電界紡糸又は電界スプレーする装置において、前記装置は、第１端と、前記第１端とは反対の第２端とを有する耐久部と、第３端と、前記第３端とは反対の第４端とを有する使い捨て部とを備え、前記使い捨て部は前記耐久部へ取り外し自在に接続され、前記使い捨て部は、電極と、ノズル先端から前記溶液を噴射する中空ノズルであって、前記中空ノズルが、前記装置の外部へ前記溶液を流す流路の第１部を規定し、前記ノズル先端が前記流路の第２部を規定する前記中空ノズルと、所定最大量の前記溶液を収容し、前記溶液を前記中空ノズルへ出力するハウジングとを備え、前記耐久部は、前記ハウジングから前記中空ノズルへ前記溶液を出力する駆動機構と、ユーザからの手動入力を受けて前記駆動機構と前記電極への高電圧の印加とを制御して、前記溶液に印加する電界を生成し、前記溶液を前記中空ノズルから前記堆積面へ向けて電界紡糸又は電界スプレーするユーザコントロールインタフェースと、を備え、電気回路が前記電極へ前記高電圧を供給し、前記使い捨て部の前記第３端が、インタフェースにおいて、前記耐久部の前記第１端へ取り外し可能に接続され、前記使い捨て部の外側表面と前記耐久部の外側表面とは、前記インタフェースにて一致し、前記使い捨て部と前記耐久部とは、前記装置の径方向中心で長手方向の中心軸線に沿って整列され、前記使い捨て部の一部は、前記耐久部の前記第１端から、前記耐久部内の前記使い捨て部の一部より長く伸長する、携帯型手持ち式の装置。
【国際調査報告】
2021503567.tif 000012